(57)【要約】【課題】既存蒸気タービン発電は仕事率が水仕事率の１／１７００で更に静翼半分で堰き止め出力を０に近付け更に海水温度を７度上昇して人類を絶滅する危険がある。【解決手段】横型全動翼水重力タービン８Ｐ発電、大気圧同速度同容積仕事率を既存蒸気タービン発電の１７００倍水仕事率にし、８Ｐ電気駆動１〜複数段熱ボンブで太陽光加熱空気を圧縮高温にして太陽光加熱別空気を加熱圧縮熱回収する液体空気冷熱２８ａ＋超高圧過熱蒸気温熱５０に分割保存使用し、液体空気使用圧縮仕事率１／６００に燃焼圧力１８５ＭＰａロケット推進狙いの飛行機は宇宙到達費用１／５０万狙い、宇宙飛行全盛１日に地球を１６周する等地球上何処でも日帰り旅行を可能し、液体空気船舶駆動の過程で自然現象を高速化魚類や海草等人類の食物を増大して、水重力発電で海水温度７度上昇を阻止して人類絶滅を阻止する各種エネルギ保存サイクル合体機関及び合体方法。【選択図】図１
2012207598.tif 000002
【特許請求の範囲】
【請求項１】
液体酸素（５Ｋ）で供給圧縮仕事率を既存の１／６００にする、環状多数直線長大タービン翼（８ｃ）の横型全動翼水重力タービン（８Ｐ）を、１〜１２０段等比重大物質（２Ｅ）の落差を無制限として（８Ｐ）発電電気駆動の電気＋液体空気冷熱＋過熱蒸気温熱供給設備具備する、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項２】
液体酸素（５Ｋ）で供給圧縮仕事率を既存の１／６００にする、環状多数直線長大タービン翼（８ｃ）の横型全動翼水重力タービン（８Ｐ）発電電気駆動の、１〜複数段熱ポンプ（１Ｇ）１〜複数段圧縮熱回収器（２Ｃ）で冷熱製造量増大して冷熱圧力を上昇電気＋過熱蒸気温熱＋液体空気冷熱の供給設備全盛にする、、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項３】
液体酸素（５Ｋ）で供給圧縮仕事率を既存の１／６００にする、環状多数直線長大タービン翼（８ｃ）の横型全動翼水重力タービン（８Ｐ）で発電電気駆動にして、１〜複数段熱ポンプ（１Ｇ）発電とし、電気駆動の１〜複数段圧縮熱回収器（２Ｃ）で冷熱製造量増大して冷熱圧力を上昇電気＋過熱蒸気温熱＋液体空気冷熱の供給設備全盛にする、、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項４】
液体酸素（５Ｋ）で供給圧縮仕事率を既存の１／６００にする、環状多数直線長大タービン翼（８ｃ）の横型全動翼水重力タービン（８Ｐ）で発電電気駆動や（８Ｐ）駆動にして、１段熱ポンプ（１Ｇ）で温熱＋冷熱製造量増大して２〜複数段熱ポンプ（１Ｇ）で冷熱圧力を更に上昇電気＋過熱蒸気温熱＋液体空気冷熱の供給設備全盛にする、、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項５】
液体酸素（５Ｋ）で供給圧縮仕事率を既存の１／６００にする、環状多数直線長大タービン翼（８ｃ）の横型全動翼水重力タービン（８Ｐ）発電電気駆動の、電気＋液体空気冷熱＋過熱蒸気温熱供給設備より受給してプロペラ（７Ａ）駆動する移動手段とした、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項６】
液体酸素（５Ｋ）で供給圧縮仕事率を既存の１／６００にする、環状多数直線長大タービン翼（８ｃ）の横型全動翼水重力タービン（８Ｐ）発電電気駆動の、電気＋液体空気冷熱＋過熱蒸気温熱供給設備より受給して回転翼（７Ｂ）駆動する移動手段とした、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項７】
液体酸素（５Ｋ）で供給圧縮仕事率を既存の１／６００にする、環状多数直線長大タービン翼（８ｃ）の横型全動翼水重力タービン（８Ｐ）発電電気駆動の、電気＋液体空気冷熱＋過熱蒸気温熱供給設備より受給してスクリュー（７Ｃ）駆動する移動手段とした、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項８】
液体酸素（５Ｋ）で供給圧縮仕事率を既存の１／６００にする、環状多数直線長大タービン翼（８ｃ）の横型全動翼水重力タービン（８Ｐ）とし、し、電気駆動１〜複数段熱ポンプ（１Ｇ）で製造搭載した液体空気冷熱超高圧噴射複数回燃料噴射燃焼して超高圧噴射した液体を内周と内周外周から複数回加熱して噴射し、空気吸引噴射する液体合体噴射部（８０Ｅ）駆動する移動手段とした、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項９】
液体酸素（５Ｋ）で供給圧縮仕事率を既存の１／６００にする、環状多数直線長大タービン翼（８ｃ）の横型全動翼水重力タービン（８Ｐ）発電電気駆動の、１〜複数段熱ポンプ（１Ｇ）で製造搭載した液体空気冷熱超高圧噴射複数回燃料噴射燃焼して超高圧噴射した液体を内周と内周外周から複数回加熱して噴射し、空気吸引流複数か所にも燃料噴射燃焼噴射して、空気吸引噴射する液体合体噴射部（８０Ｆ）駆動する移動手段とした、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１０】
液体酸素（５Ｋ）で供給圧縮仕事率を既存の１／６００にする、環状多数直線長大タービン翼（８ｃ）の横型全動翼水重力タービン（８Ｐ）発電電気駆動の、１〜複数段熱ポンプ（１Ｇ）で製造搭載した液体空気冷熱超高圧噴射複数回燃料噴射燃焼して超高圧噴射した液体を内周と外周と内周外周から複数回加熱して噴射し、空気吸引流複数か所にも燃料噴射燃焼噴射して、空気吸引噴射する液体合体噴射部（８０Ｖ）駆動するする移動手段とした、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
体機関。
【請求項１１】
液体酸素（５Ｋ）で供給圧縮仕事率を既存の１／６００にする、環状多数直線長大タービン翼（８ｃ）の横型全動翼水重力タービン（８Ｐ）発電電気駆動の、１〜複数段熱ポンプ（１Ｇ）で製造搭載した液体空気冷熱超高圧噴射複数回燃料噴射燃焼して超高圧噴射した液体を内周と外周と内周外周から複数回加熱して噴射し、空気吸引噴射する液体合体噴射部（８０Ｗ）駆動する移動手段とした、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１２】
液体酸素（５Ｋ）で供給圧縮仕事率を既存の１／６００にする、環状多数直線長大タービン翼（８ｃ）の横型全動翼水重力タービン（８Ｐ）発電電気駆動の、１〜複数段熱ポンプ（１Ｇ）で製造搭載した液体空気冷熱超高圧噴射複数回燃料噴射燃焼して超高圧噴射した液体を内周と外周と内周外周から複数回加熱して噴射し、空気吸引噴射して水を吸引噴射する液体空気吸引ウォータージェット（８０Ｓ）駆動する移動手段とした、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１３】
液体酸素（５Ｋ）で供給圧縮仕事率を既存の１／６００にする、環状多数直線長大タービン翼（８ｃ）の横型全動翼水重力タービン（８Ｐ）発電電気駆動の、１〜複数段熱ポンプ（１Ｇ）で製造搭載した液体空気冷熱超高圧噴射複数回燃料噴射燃焼して超高圧噴射した液体を内周と外周と内周外周から複数回加熱して噴射し、空気吸引流複数か所にも燃料噴射燃焼噴射して、空気吸引噴射して水を吸引噴射する液体空気吸引ウォータージェット（８０Ｔ）駆動する移動手段とした、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１４】
液体酸素（５Ｋ）で供給圧縮仕事率を既存の１／６００にする、環状多数直線長大タービン翼（８ｃ）の横型全動翼水重力タービン（８Ｐ）発電電気駆動の、１〜複数段熱ポンプ（１Ｇ）で製造搭載した液体空気冷熱超高圧噴射複数回燃料噴射燃焼して超高圧噴射した液体を内周と外周と内周外周から複数回加熱して噴射し、水を吸引噴射する液体水吸引ウォータージェット（８０Ｕ）駆動する移動手段とした、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１５】
液体酸素（５Ｋ）で供給圧縮仕事率を既存の１／６００にする、環状多数直線長大タービン翼（８ｃ）の横型全動翼水重力タービン（８Ｐ）発電電気駆動の、１〜複数段熱ポンプ（１Ｇ）で製造搭載した液体空気冷熱超高圧噴射複数回燃料噴射燃焼して超高圧噴射した液体を内周と内周外周から複数回加熱して噴射し、水を吸引噴射する液体水吸引ウォータージェット（８０Ｘ）駆動する移動手段とした、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１６】
液体酸素（５Ｋ）で供給圧縮仕事率を既存の１／６００にする、環状多数直線長大タービン翼（８ｃ）の横型全動翼水重力タービン（８Ｐ）発電電気駆動の、１〜複数段熱ポンプ（１Ｇ）で製造搭載した液体空気冷熱超高圧噴射複数回燃料噴射燃焼して超高圧噴射した液体を内周と内周外周から複数回加熱して噴射し、空気吸引噴射して水を吸引噴射する液体空気吸引ウォータージェット（８０Ｙ）駆動する移動手段とした、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１７】
液体酸素（５Ｋ）で供給圧縮仕事率を既存の１／６００にする、環状多数直線長大タービン翼（８ｃ）の横型全動翼水重力タービン（８Ｐ）発電電気駆動の、１〜複数段熱ポンプ（１Ｇ）で製造搭載した液体空気冷熱超高圧噴射複数回燃料噴射燃焼して超高圧噴射した液体を内周と内周外周から複数回加熱して噴射し、空気吸引流複数か所にも燃料噴射燃焼噴射して、空気吸引噴射して水を吸引噴射する液体空気吸引ウォータージェット（８０Ｚ）駆動する移動手段とした、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１８】
液体酸素（５Ｋ）で供給圧縮仕事率を既存の１／６００にする、環状多数直線長大タービン翼（８ｃ）の横型全動翼水重力タービン（８Ｐ）発電電気駆動の、電気＋液体空気冷熱＋過熱蒸気温熱供給設備より受給して車両類を駆動する、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１９】
液体酸素（５Ｋ）で供給圧縮仕事率を既存の１／６００にする、環状多数直線長大タービン翼（８ｃ）の横型全動翼水重力タービン（８Ｐ）発電電気駆動の、電気＋液体空気冷熱＋過熱蒸気温熱供給設備より受給して車両類を駆動する、各種熱エネルギは空気温度として熱ポンプで圧縮高圧の液体空気冷熱＋過熱蒸気温熱に分割保存使用・重力エネルギは上昇保存噴射真空中重力加速度加速使用する各種熱エネルギは太陽光加熱器で太陽光加熱空気として１〜複数段熱ポンプで圧縮高圧大各種エネルギ保存サイクル合体機関及び合体方法。
【請求項２０】
液体酸素（５Ｋ）で供給圧縮仕事率を既存の１／６００にする、環状多数直線長大タービン翼（８ｃ）の横型全動翼水重力タービン（８Ｐ）発電電気駆動の、電気＋液体空気冷熱＋過熱蒸気温熱供給設備より受給して圧力機関＋蓄電池で自動車類を駆動する、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項２１】
液体酸素（５Ｋ）で供給圧縮仕事率を既存の１／６００にする、環状多数直線長大タービン翼（８ｃ）の横型全動翼水重力タービン（８Ｐ）発電電気駆動の、電気＋液体空気冷熱＋過熱蒸気温熱供給設備より受給して圧力機関＋蓄電池で自動車類を駆動する、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項２２】
液体酸素（５Ｋ）で供給圧縮仕事率を既存の１／６００にする、環状多数直線長大タービン翼（８ｃ）の横型全動翼水重力タービン（８Ｐ）発電電気駆動の、電気＋液体空気冷熱＋過熱蒸気温熱供給設備より受給して液体空気冷熱利用船舶類を駆動する、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項２３】
液体酸素（５Ｋ）で供給圧縮仕事率を既存の１／６００にする、環状多数直線長大タービン翼（８ｃ）の横型全動翼水重力タービン（８Ｐ）発電電気駆動の、電気＋液体空気冷熱＋過熱蒸気温熱供給設備より受給して液体空気超高圧噴射して船舶類を駆動する、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項２４】
液体酸素（５Ｋ）で供給圧縮仕事率を既存の１／６００にする、環状多数直線長大タービン翼（８ｃ）の横型全動翼水重力タービン（８Ｐ）発電電気駆動の、１〜複数段熱ポンプ（１Ｇ）で製造搭載した液体空気冷熱超高圧噴射複数回燃料噴射燃焼して超高圧噴射した液体を内周と内周外周から複数回加熱して噴射し、空気吸引噴射する液体合体噴射部（８０Ｅ）駆動する各種宇宙往還飛行機類にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項２５】
液体酸素（５Ｋ）で供給圧縮仕事率を既存の１／６００にする、環状多数直線長大タービン翼（８ｃ）の横型全動翼水重力タービン（８Ｐ）発電電気駆動の、１〜複数段熱ポンプ（１Ｇ）で製造搭載した液体空気冷熱超高圧噴射複数回燃料噴射燃焼して超高圧噴射した液体を内周と内周外周から複数回加熱して噴射し、空気吸引流複数か所にも燃料噴射燃焼噴射して、空気吸引噴射する液体合体噴射部（８０Ｆ）駆動する各種宇宙往還飛行機類にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項２６】
液体酸素（５Ｋ）で供給圧縮仕事率を既存の１／６００にする、環状多数直線長大タービン翼（８ｃ）の横型全動翼水重力タービン（８Ｐ）発電電気駆動の、１〜複数段熱ポンプ（１Ｇ）で製造搭載した液体空気冷熱超高圧噴射複数回燃料噴射燃焼して超高圧噴射した液体を内周と外周と内周外周から複数回加熱して噴射し、空気吸引流複数か所にも燃料噴射燃焼噴射して、空気吸引噴射する液体合体噴射部（８０Ｖ）駆動するする各種宇宙往還飛行機類にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項２７】
液体酸素（５Ｋ）で供給圧縮仕事率を既存の１／６００にする、環状多数直線長大タービン翼（８ｃ）の横型全動翼水重力タービン（８Ｐ）発電電気駆動の、１〜複数段熱ポンプ（１Ｇ）で製造搭載した液体空気冷熱超高圧噴射複数回燃料噴射燃焼して超高圧噴射した液体を内周と外周と内周外周から複数回加熱して噴射し、空気吸引噴射する液体合体噴射部（８０Ｗ）駆動する各種宇宙往還飛行機類にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項２８】
液体酸素（５Ｋ）で供給圧縮仕事率を既存の１／６００にする、環状多数直線長大タービン翼（８ｃ）の横型全動翼水重力タービン（８Ｐ）発電電気駆動の、電気＋液体空気冷熱＋過熱蒸気温熱供給設備より受給して温熱利用家庭電化全盛にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項２９】
液体酸素（５Ｋ）で供給圧縮仕事率を既存の１／６００にする、環状多数直線長大タービン翼（８ｃ）の横型全動翼水重力タービン（８Ｐ）発電電気駆動の、１〜複数段熱ポンプ（１Ｇ）で製造の電気＋液体空気冷熱＋過熱蒸気温熱供給設備より受給して冷熱（２８ａ）で氷を大量生産する等冷熱利用全盛にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項３０】
液体酸素（５Ｋ）で供給圧縮仕事率を既存の１／６００にする、環状多数直線長大タービン翼（８ｃ）の横型全動翼水重力タービン（８Ｐ）発電電気駆動の、１〜複数段熱ポンプ（１Ｇ）で製造の電気＋液体空気冷熱＋過熱蒸気温熱供給設備より受給して温熱（５０）をメタンハイドレートに注入メタンを回収する等温熱利用全盛にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項３１】
液体酸素（５Ｋ）で供給圧縮仕事率を既存の１／６００にする、環状多数直線長大タービン翼（８ｃ）の横型全動翼水重力タービン（８Ｐ）発電電気駆動の、電気＋液体空気冷熱＋過熱蒸気温熱供給設備より受給して工作機械を駆動する等工場電化全盛にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項３２】
液体酸素（５Ｋ）で供給圧縮仕事率を既存の１／６００にする、環状多数直線長大タービン翼（８ｃ）の横型全動翼水重力タービン（８Ｐ）発電電気駆動の、電気＋液体空気冷熱＋過熱蒸気温熱供給設備より受給して工作機械を駆動する等工場電化全盛にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項３３】
液体酸素（５Ｋ）で供給燃料燃焼量増大する、比重大物質加速器（６Ｗ）水（３Ｅ）噴射真空中重力加速度加速して駆動の横型全動翼水重力タービン（８Ｐ）発電電気駆動の、電気＋液体空気冷熱＋過熱蒸気温熱供給設備より受給して液体空気超高圧噴射する輸送手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項３４】
液体酸素（５Ｋ）で供給燃料燃焼量増大する、比重大物質加速器（６Ｗ）水（３Ｅ）噴射真空中重力加速度加速して駆動の横型全動翼水重力タービン（８Ｐ）発電電気駆動の、電気＋液体空気冷熱＋過熱蒸気温熱供給設備より受給して液体空気超高圧噴射燃料噴射燃焼圧力機関駆動して各種輸送手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項３５】
液体酸素（５Ｋ）で供給燃料燃焼量増大する、比重大物質加速器（６Ｗ）水（３Ｅ）噴射真空中重力加速度加速して駆動の横型全動翼水重力タービン（８Ｐ）発電電気駆動の、電気＋液体空気冷熱＋過熱蒸気温熱供給設備より受給して移動手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項３６】
液体酸素（５Ｋ）で供給燃料燃焼量増大する、比重大物質加速器（６Ｗ）水（３Ｅ）噴射真空中重力加速度加速して駆動の横型全動翼水重力タービン（８Ｐ）発電電気駆動の、電気＋液体空気冷熱＋過熱蒸気温熱供給設備より受給して船舶類駆動手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項３７】
液体酸素（５Ｋ）で供給燃料燃焼量増大する、比重大物質加速器（６Ｗ）水（３Ｅ）噴射真空中重力加速度加速して駆動の横型全動翼水重力タービン（８Ｐ）発電電気駆動の、電気＋液体空気冷熱＋過熱蒸気温熱供給設備より受給して飛行機類駆動手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項３８】
液体酸素（５Ｋ）で供給燃料燃焼量増大する、比重大物質加速器（６Ｗ）水（３Ｅ）噴射真空中重力加速度加速して駆動の横型全動翼水重力タービン（８Ｐ）発電電気駆動の、電気＋液体空気冷熱＋過熱蒸気温熱供給設備より受給して液体空気超高圧噴射する輸送手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項３９】
液体酸素（５Ｋ）で供給燃料燃焼量増大する、比重大物質加速器（６Ｗ）水（３Ｅ）噴射真空中重力加速度加速して駆動の横型全動翼水重力タービン（８Ｐ）発電電気駆動の、電気＋液体空気冷熱＋過熱蒸気温熱供給設備より受給して移動手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項４０】
液体酸素（５Ｋ）で供給燃料燃焼量増大する、比重大物質加速器（６Ｗ）水（３Ｅ）噴射真空中重力加速度加速して駆動の横型全動翼水重力タービン（８Ｐ）発電電気駆動の、電気＋液体空気冷熱＋過熱蒸気温熱供給設備より受給して船舶類駆動手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項４１】
液体酸素（５Ｋ）で供給燃料燃焼量増大する、比重大物質加速器（６Ｗ）水（３Ｅ）噴射真空中重力加速度加速して駆動の横型全動翼水重力タービン（８Ｐ）発電電気駆動の、電気＋液体空気冷熱＋過熱蒸気温熱供給設備より受給して飛行機類駆動手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項４２】
液体酸素（５Ｋ）で供給燃料燃焼量増大する、比重大物質加速器（６Ｗ）水（３Ｅ）高圧噴射真空中重力加速度加速して駆動の横型全動翼水重力タービン（８Ｐ）発電電気駆動の、電気＋液体空気冷熱＋過熱蒸気温熱供給設備より受給して液体空気超高圧噴射する輸送手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項４３】
液体酸素（５Ｋ）で供給燃料燃焼量増大する、比重大物質加速器（６Ｗ）水（３Ｅ）高圧噴射真空中重力加速度加速して駆動の横型全動翼水重力タービン（８Ｐ）発電電気駆動の、電気＋液体空気冷熱＋過熱蒸気温熱供給設備より受給して移動手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項４４】
液体酸素（５Ｋ）で供給燃料燃焼量増大する、比重大物質加速器（６Ｗ）水（３Ｅ）高圧噴射真空中重力加速度加速して駆動の横型全動翼水重力タービン（８Ｐ）発電電気駆動の、電気＋液体空気冷熱＋過熱蒸気温熱供給設備より受給して船舶類駆動手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項４５】
液体酸素（５Ｋ）で供給燃料燃焼量増大する、比重大物質加速器（６Ｗ）水（３Ｅ）高圧噴射真空中重力加速度加速して駆動の横型全動翼水重力タービン（８Ｐ）発電電気駆動の、電気＋液体空気冷熱＋過熱蒸気温熱供給設備より受給して飛行機類駆動手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項４６】
電気＋液体空気冷熱＋過熱蒸気温熱供給設備とした太陽光加熱器（２）複数を直角継手等で一纏めにした加熱液体酸素（５Ｋ）で供給圧縮仕事率を１／６００にして燃焼量１０倍にする、横型全動翼水重力タービン（８Ｐ）発電電気駆動の電気＋液体空気冷熱＋過熱蒸気温熱供給設備より受給して液体空気超高圧噴射する輸送手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項４７】
電気＋液体空気冷熱＋過熱蒸気温熱供給設備とした太陽光加熱器（２）複数を直角継手等で一纏めにした加熱液体酸素（５Ｋ）で供給圧縮仕事率を１／６００にして燃焼量１０倍にする、横型全動翼水重力タービン（８Ｐ）発電電気駆動の電気＋液体空気冷熱＋過熱蒸気温熱供給設備より受給して移動手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項４８】
電気＋液体空気冷熱＋過熱蒸気温熱供給設備とした太陽光加熱器（２）複数を直角継手等で一纏めにした加熱液体酸素（５Ｋ）で供給圧縮仕事率を１／６００にして燃焼量１０倍にする、横型全動翼水重力タービン（８Ｐ）発電電気駆動の電気＋液体空気冷熱＋過熱蒸気温熱供給設備より受給して船舶類駆動手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項４９】
電気＋液体空気冷熱＋過熱蒸気温熱供給設備とした太陽光加熱器（２）複数を直角継手等で一纏めにした加熱液体酸素（５Ｋ）で供給圧縮仕事率を１／６００にして燃焼量１０倍にする、横型全動翼水重力タービン（８Ｐ）発電電気駆動の電気＋液体空気冷熱＋過熱蒸気温熱供給設備より受給して飛行機類駆動手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項５０】
電気＋液体空気冷熱＋過熱蒸気温熱供給設備とした太陽光加熱器（２）複数を直角継手で一纏めにした加熱液体酸素（５Ｋ）で供給圧縮仕事率を１／６００にして燃焼量１０倍にする、横型全動翼水重力タービン（８Ｐ）発電電気駆動の電気＋液体空気冷熱＋過熱蒸気温熱供給設備より受給して電気駆動の各種移動手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項５１】
電気＋液体空気冷熱＋過熱蒸気温熱供給設備とした太陽光加熱器（２）複数を直角継手で一纏めにした加熱液体酸素（５Ｋ）で供給圧縮仕事率を１／６００にして燃焼量１０倍にする、横型全動翼水重力タービン（８Ｐ）発電電気駆動の電気＋液体空気冷熱＋過熱蒸気温熱供給設備より受給して工場電化冷熱温熱利用全盛にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項５２】
電気＋液体空気冷熱＋過熱蒸気温熱供給設備とした太陽光加熱器（２）複数を直角継手で一纏めにした加熱液体酸素（５Ｋ）で供給圧縮仕事率を１／６００にして燃焼量１０倍にする、横型全動翼水重力タービン（８Ｐ）発電電気駆動の電気＋液体空気冷熱＋過熱蒸気温熱供給設備より受給して家庭電化冷熱温熱利用全盛にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項５３】
電気＋液体空気冷熱＋過熱蒸気温熱供給設備とした太陽光加熱器（２）複数を直角継手で一纏めにした加熱液体酸素（５Ｋ）で供給圧縮仕事率を１／６００にして燃焼量１０倍にする、横型全動翼水重力タービン（８Ｐ）発電電気駆動の電気＋液体空気冷熱＋過熱蒸気温熱供給設備より受給して超高圧液体空気冷熱噴射燃料噴射燃焼圧力機関駆動して各種輸送手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項５４】
電気＋液体空気冷熱＋過熱蒸気温熱供給設備とした太陽光加熱器（２）複数を直角継手で一纏めにした加熱液体酸素（５Ｋ）で供給圧縮仕事率を１／６００にして燃焼量１０倍にする、横型全動翼水重力タービン（８Ｐ）発電電気駆動の電気＋液体空気冷熱＋過熱蒸気温熱供給設備より受給して超高圧液体空気冷熱噴射燃料噴射複数回燃焼圧力機関駆動して各種輸送手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項５５】
電気＋液体空気冷熱＋過熱蒸気温熱供給設備とした太陽光加熱器（２）複数を直角継手で一纏めにした加熱液体酸素（５Ｋ）で供給圧縮仕事率を１／６００にして燃焼量１０倍にする、横型全動翼水重力タービン（８Ｐ）発電電気駆動の電気＋液体空気冷熱＋過熱蒸気温熱供給設備より受給して超高圧液体空気冷熱噴射燃料噴射複数回燃焼水を複数回加熱夫々で圧力機関駆動して各種輸送手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項５６】
電気＋液体空気冷熱＋過熱蒸気温熱供給設備とした太陽光加熱器（２）複数を直角継手で一纏めにした加熱液体酸素（５Ｋ）で供給圧縮仕事率を１／６００にして燃焼量１０倍にする、横型全動翼水重力タービン（８Ｐ）発電電気駆動の電気＋液体空気冷熱＋過熱蒸気温熱供給設備より受給して超高圧液体空気冷熱噴射燃料噴射複数回燃焼外周の水を複数回加熱夫々で圧力機関駆動して各種輸送手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項５７】
電気＋液体空気冷熱＋過熱蒸気温熱供給設備とした太陽光加熱器（２）複数を直角継手で一纏めにした加熱液体酸素（５Ｋ）で供給圧縮仕事率を１／６００にして燃焼量１０倍にする、横型全動翼水重力タービン（８Ｐ）発電電気駆動の電気＋液体空気冷熱＋過熱蒸気温熱供給設備より受給して超高圧液体空気冷熱噴射燃料噴射複数回燃焼内周の水を複数回加熱夫々で圧力機関駆動して各種輸送手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項５８】
電気＋液体空気冷熱＋過熱蒸気温熱供給設備とした太陽光加熱器（２）複数を直角継手で一纏めにした加熱液体酸素（５Ｋ）で供給圧縮仕事率を１／６００にして燃焼量１０倍にする、横型全動翼水重力タービン（８Ｐ）発電電気駆動の電気＋液体空気冷熱＋過熱蒸気温熱供給設備より受給して超高圧液体空気冷熱噴射燃料噴射複数回燃焼内周外周の水を複数回加熱夫々で圧力機関駆動して各種輸送手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項５９】
電気＋液体空気冷熱＋過熱蒸気温熱供給設備とした太陽光加熱器（２）複数を直角継手で一纏めにした加熱液体酸素（５Ｋ）で供給圧縮仕事率を１／６００にして燃焼量１０倍にする、横型全動翼水重力タービン（８Ｐ）発電電気駆動の電気＋液体空気冷熱＋過熱蒸気温熱供給設備より受給して電気＋液体空気冷熱＋過熱蒸気温熱供給設備全盛にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項６０】
電気＋液体空気冷熱＋過熱蒸気温熱供給設備とした太陽光加熱器（２）複数を直角継手等で一纏めにした加熱液体酸素（５Ｋ）で供給圧縮仕事率を１／６００にして燃焼量１０倍にする、電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、水を吸引噴射する液体水吸引ウォータージェット（８０Ｕ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項６１】
電気＋液体空気冷熱＋過熱蒸気温熱供給設備とした太陽光加熱器（２）複数を直角継手等で一纏めにした加熱液体酸素（５Ｋ）で供給圧縮仕事率を１／６００にして燃焼量１０倍にする、電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、水を吸引噴射する液体水吸引ウォータージェット（８０Ｘ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項６２】
電気＋液体空気冷熱＋過熱蒸気温熱供給設備とした太陽光加熱器（２）複数を直角継手等で一纏めにした加熱液体酸素（５Ｋ）で供給圧縮仕事率を１／６００にして燃焼量１０倍にする、電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、空気吸引噴射して水を吸引噴射する液体空気吸引ウォータージェット（８０Ｓ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項６３】
電気＋液体空気冷熱＋過熱蒸気温熱供給設備とした太陽光加熱器（２）複数を直角継手等で一纏めにした加熱液体酸素（５Ｋ）で供給圧縮仕事率を１／６００にして燃焼量１０倍にする、電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、空気吸引流複数か所にも燃料噴射燃焼噴射して、空気吸引噴射して水を吸引噴射する液体空気吸引ウォータージェット（８０Ｔ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項６４】
電気＋液体空気冷熱＋過熱蒸気温熱供給設備とした太陽光加熱器（２）複数を直角継手等で一纏めにした加熱液体酸素（５Ｋ）で供給圧縮仕事率を１／６００にして燃焼量１０倍にする、電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引噴射して水を吸引噴射する液体空気吸引ウォータージェット（８０Ｙ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項６５】
電気＋液体空気冷熱＋過熱蒸気温熱供給設備とした太陽光加熱器（２）複数を直角継手等で一纏めにした加熱液体酸素（５Ｋ）で供給圧縮仕事率を１／６００にして燃焼量１０倍にする、電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引流複数か所にも燃料噴射燃焼噴射して、空気吸引噴射して水を吸引噴射する液体空気吸引ウォータージェット（８０Ｚ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項６６】
電気＋液体空気冷熱＋過熱蒸気温熱供給設備とした太陽光加熱器（２）複数を直角継手等で一纏めにした加熱液体酸素（５Ｋ）で供給圧縮仕事率を１／６００にして燃焼量１０倍にする、電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引噴射する液体合体噴射部（８０Ｅ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項６７】
電気＋液体空気冷熱＋過熱蒸気温熱供給設備とした太陽光加熱器（２）複数を直角継手等で一纏めにした加熱液体酸素（５Ｋ）で供給圧縮仕事率を１／６００にして燃焼量１０倍にする、電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引流複数か所にも燃料噴射燃焼噴射して、空気吸引噴射する液体合体噴射部（８０Ｆ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項６８】
電気＋液体空気冷熱＋過熱蒸気温熱供給設備とした太陽光加熱器（２）複数を直角継手等で一纏めにした加熱液体酸素（５Ｋ）で供給圧縮仕事率を１／６００にして燃焼量１０倍にする、電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、空気吸引流複数か所にも燃料噴射燃焼噴射して、空気吸引噴射する液体合体噴射部（８０Ｖ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項６９】
電気＋液体空気冷熱＋過熱蒸気温熱供給設備とした太陽光加熱器（２）複数を直角継手等で一纏めにした加熱液体酸素（５Ｋ）で供給圧縮仕事率を１／６００にして燃焼量１０倍にする、電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、空気吸引噴射する液体合体噴射部（８０Ｗ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項７０】
液体酸素（５Ｋ）で供給燃料燃焼量増大する、比重大物質加速器（６Ｗ）水（３Ｅ）噴射真空中重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、水を吸引噴射する液体水吸引ウォータージェット（８０Ｕ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項７１】
液体酸素（５Ｋ）で供給燃料燃焼量増大する、比重大物質加速器（６Ｗ）水（３Ｅ）噴射真空中重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、水を吸引噴射する液体水吸引ウォータージェット（８０Ｘ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項７２】
液体酸素（５Ｋ）で供給燃料燃焼量増大する、比重大物質加速器（６Ｗ）水（３Ｅ）噴射真空中重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、空気吸引噴射して水を吸引噴射する液体空気吸引ウォータージェット（８０Ｓ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項７３】
液体酸素（５Ｋ）で供給燃料燃焼量増大する、比重大物質加速器（６Ｗ）水（３Ｅ）噴射真空中重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、空気吸引流複数か所にも燃料噴射燃焼噴射して、空気吸引噴射して水を吸引噴射するウォータージェット７９Ｔにする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項７４】
液体酸素（５Ｋ）で供給燃料燃焼量増大する、比重大物質加速器（６Ｗ）水（３Ｅ）噴射真空中重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引噴射して水を吸引噴射する液体空気吸引ウォータージェット（８０Ｙ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項７５】
液体酸素（５Ｋ）で供給燃料燃焼量増大する、比重大物質加速器（６Ｗ）水（３Ｅ）噴射真空中重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引流複数か所にも燃料噴射燃焼噴射して、空気吸引噴射して水を吸引噴射する液体空気吸引ウォータージェット（８０Ｚ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項７６】
液体酸素（５Ｋ）で供給燃料燃焼量増大する、比重大物質加速器（６Ｗ）水（３Ｅ）噴射真空中重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引噴射する液体合体噴射部（８０Ｅ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項７７】
液体酸素（５Ｋ）で供給燃料燃焼量増大する、比重大物質加速器（６Ｗ）水（３Ｅ）噴射真空中重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引流複数か所にも燃料噴射燃焼噴射して、空気吸引噴射する液体合体噴射部（８０Ｆ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項７８】
液体酸素（５Ｋ）で供給燃料燃焼量増大する、比重大物質加速器（６Ｗ）水（３Ｅ）噴射真空中重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、空気吸引流複数か所にも燃料噴射燃焼噴射して、空気吸引噴射する液体合体噴射部（８０Ｖ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項７９】
液体酸素（５Ｋ）で供給燃料燃焼量増大する、比重大物質加速器（６Ｗ）水（３Ｅ）噴射真空中重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、空気吸引噴射する液体合体噴射部（８０Ｗ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項８０】
液体酸素（５Ｋ）で供給圧縮仕事率を１／６００にして燃焼量増大する、比重大物質加速器（６Ｗ）水（３Ｅ）噴射真空中重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、水を吸引噴射する液体水吸引ウォータージェット（８０Ｕ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項８１】
液体酸素（５Ｋ）で供給圧縮仕事率を１／６００にして燃焼量増大する、比重大物質加速器（６Ｗ）水（３Ｅ）噴射真空中重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、水を吸引噴射する液体水吸引ウォータージェット（８０Ｘ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項８２】
液体酸素（５Ｋ）で供給圧縮仕事率を１／６００にして燃焼量増大する、比重大物質加速器（６Ｗ）水（３Ｅ）噴射真空中重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、  空気吸引噴射して水を吸引噴射する液体空気吸引ウォータージェット（８０Ｓ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項８３】
液体酸素（５Ｋ）で供給圧縮仕事率を１／６００にして燃焼量増大する、比重大物質加速器（６Ｗ）水（３Ｅ）噴射真空中重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、空気吸引流複数か所にも燃料噴射燃焼噴射して、空気吸引噴射して水を吸引噴射するウォータージェット７９Ｔにする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項８４】
液体酸素（５Ｋ）で供給圧縮仕事率を１／６００にして燃焼量増大する、比重大物質加速器（６Ｗ）水（３Ｅ）噴射真空中重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引噴射して水を吸引噴射する液体空気吸引ウォータージェット（８０Ｙ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項８５】
液体酸素（５Ｋ）で供給圧縮仕事率を１／６００にして燃焼量増大する、比重大物質加速器（６Ｗ）水（３Ｅ）噴射真空中重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引流複数か所にも燃料噴射燃焼噴射して、空気吸引噴射して水を吸引噴射する液体空気吸引ウォータージェット（８０Ｚ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項８６】
液体酸素（５Ｋ）で供給圧縮仕事率を１／６００にして燃焼量増大する、比重大物質加速器（６Ｗ）水（３Ｅ）噴射真空中重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引噴射する液体合体噴射部（８０Ｅ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項８７】
液体酸素（５Ｋ）で供給圧縮仕事率を１／６００にして燃焼量増大する、比重大物質加速器（６Ｗ）水（３Ｅ）噴射真空中重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引流複数か所にも燃料噴射燃焼噴射して、空気吸引噴射する液体合体噴射部（８０Ｆ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項８８】
液体酸素（５Ｋ）で供給圧縮仕事率を１／６００にして燃焼量増大する、比重大物質加速器（６Ｗ）水（３Ｅ）噴射真空中重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、空気吸引流複数か所にも燃料噴射燃焼噴射して、空気吸引噴射する液体合体噴射部（８０Ｖ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項８９】
液体酸素（５Ｋ）で供給圧縮仕事率を１／６００にして燃焼量増大する、比重大物質加速器（６Ｗ）水（３Ｅ）噴射真空中重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、空気吸引噴射する液体合体噴射部（８０Ｗ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項９０】
液体酸素（５Ｋ）で供給圧縮仕事率を１／６００にして燃焼量５倍にする、比重大物質加速器（６Ｗ）水（３Ｅ）高圧噴射真空中重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、水を吸引噴射する液体水吸引ウォータージェット（８０Ｕ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項９１】
液体酸素（５Ｋ）で供給圧縮仕事率を１／６００にして燃焼量５倍にする、比重大物質加速器（６Ｗ）水（３Ｅ）高圧噴射真空中重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、水を吸引噴射する液体水吸引ウォータージェット（８０Ｘ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項９２】
液体酸素（５Ｋ）で供給圧縮仕事率を１／６００にして燃焼量５倍にする、比重大物質加速器（６Ｗ）水（３Ｅ）高圧噴射真空中重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、空気吸引噴射して水を吸引噴射する液体空気吸引ウォータージェット（８０Ｓ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項９３】
液体酸素（５Ｋ）で供給圧縮仕事率を１／６００にして燃焼量５倍にする、比重大物質加速器（６Ｗ）水（３Ｅ）高圧噴射真空中重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、空気吸引流複数か所にも燃料噴射燃焼噴射して、空気吸引噴射して水を吸引噴射するウォータージェット７９Ｔにする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項９４】
液体酸素（５Ｋ）で供給圧縮仕事率を１／６００にして燃焼量５倍にする、比重大物質加速器（６Ｗ）水（３Ｅ）高圧噴射真空中重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引噴射して水を吸引噴射する液体空気吸引ウォータージェット（８０Ｙ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項９５】
液体酸素（５Ｋ）で供給圧縮仕事率を１／６００にして燃焼量５倍にする、比重大物質加速器（６Ｗ）水（３Ｅ）高圧噴射真空中重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引流複数か所にも燃料噴射燃焼噴射して、空気吸引噴射して水を吸引噴射する液体空気吸引ウォータージェット（８０Ｚ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項９６】
液体酸素（５Ｋ）で供給圧縮仕事率を１／６００にして燃焼量５倍にする、比重大物質加速器（６Ｗ）水（３Ｅ）高圧噴射真空中重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引噴射する液体合体噴射部（８０Ｅ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項９７】
液体酸素（５Ｋ）で供給圧縮仕事率を１／６００にして燃焼量５倍にする、比重大物質加速器（６Ｗ）水（３Ｅ）高圧噴射真空中重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引流複数か所にも燃料噴射燃焼噴射して、空気吸引噴射する液体合体噴射部（８０Ｆ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項９８】
液体酸素（５Ｋ）で供給圧縮仕事率を１／６００にして燃焼量５倍にする、比重大物質加速器（６Ｗ）水（３Ｅ）高圧噴射真空中重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、空気吸引流複数か所にも燃料噴射燃焼噴射して、空気吸引噴射する液体合体噴射部（８０Ｖ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項９９】
液体酸素（５Ｋ）で供給圧縮仕事率を１／６００にして燃焼量５倍にする、比重大物質加速器（６Ｗ）水（３Ｅ）高圧噴射真空中重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、空気吸引噴射する液体合体噴射部（８０Ｗ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１００】
電気＋液体空気冷熱＋過熱蒸気温熱供給設備とした太陽光加熱器（２）複数を直角継手等で一纏めにした加熱空気を水重力発電電気駆動１〜複数段熱ポンプ（１Ｇ）で吸入圧縮熱回収し、横型全動翼水重力タービン（８Ｐ）発電電気駆動の電気＋液体空気冷熱＋過熱蒸気温熱供給設備より受給して液体空気超高圧噴射する輸送手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１０１】
電気＋液体空気冷熱＋過熱蒸気温熱供給設備とした太陽光加熱器（２）複数を直角継手等で一纏めにした加熱空気を水重力発電電気駆動１〜複数段熱ポンプ（１Ｇ）で吸入圧縮熱回収し、横型全動翼水重力タービン（８Ｐ）発電電気駆動の電気＋液体空気冷熱＋過熱蒸気温熱供給設備より受給して移動手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１０２】
電気＋液体空気冷熱＋過熱蒸気温熱供給設備とした太陽光加熱器（２）複数を直角継手等で一纏めにした加熱空気を水重力発電電気駆動１〜複数段熱ポンプ（１Ｇ）で吸入圧縮熱回収し、横型全動翼水重力タービン（８Ｐ）発電電気駆動の電気＋液体空気冷熱＋過熱蒸気温熱供給設備より受給して船舶類駆動手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１０３】
電気＋液体空気冷熱＋過熱蒸気温熱供給設備とした太陽光加熱器（２）複数を直角継手等で一纏めにした加熱空気を水重力発電電気駆動１〜複数段熱ポンプ（１Ｇ）で吸入圧縮熱回収し、横型全動翼水重力タービン（８Ｐ）発電電気駆動の電気＋液体空気冷熱＋過熱蒸気温熱供給設備より受給して飛行機類駆動手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１０４】
電気＋液体空気冷熱＋過熱蒸気温熱供給設備とした太陽光加熱器（２）複数を直角継手等で一纏めにした加熱空気を水重力発電電気駆動１〜複数段熱ポンプ（１Ｇ）で吸入圧縮熱回収し、横型全動翼水重力タービン（８Ｐ）発電電気駆動の電気＋液体空気冷熱＋過熱蒸気温熱供給設備より受給して電気駆動の各種移動手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１０５】
電気＋液体空気冷熱＋過熱蒸気温熱供給設備とした太陽光加熱器（２）複数を直角継手等で一纏めにした加熱空気を水重力発電電気駆動１〜複数段熱ポンプ（１Ｇ）で吸入圧縮熱回収し、横型全動翼水重力タービン（８Ｐ）発電電気駆動の電気＋液体空気冷熱＋過熱蒸気温熱供給設備より受給して工場電化冷熱温熱利用全盛にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１０６】
電気＋液体空気冷熱＋過熱蒸気温熱供給設備とした太陽光加熱器（２）複数を直角継手等で一纏めにした加熱空気を水重力発電電気駆動１〜複数段熱ポンプ（１Ｇ）で吸入圧縮熱回収し、横型全動翼水重力タービン（８Ｐ）発電電気駆動の電気＋液体空気冷熱＋過熱蒸気温熱供給設備より受給して家庭電化冷熱温熱利用全盛にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１０７】
電気＋液体空気冷熱＋過熱蒸気温熱供給設備とした太陽光加熱器（２）複数を直角継手等で一纏めにした加熱空気を水重力発電電気駆動１〜複数段熱ポンプ（１Ｇ）で吸入圧縮熱回収し、横型全動翼水重力タービン（８Ｐ）発電電気駆動の電気＋液体空気冷熱＋過熱蒸気温熱供給設備より受給して超高圧液体空気冷熱噴射燃料噴射燃焼して各種輸送手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１０８】
電気＋液体空気冷熱＋過熱蒸気温熱供給設備とした太陽光加熱器（２）複数を直角継手等で一纏めにした加熱空気を水重力発電電気駆動１〜複数段熱ポンプ（１Ｇ）で吸入圧縮熱回収し、横型全動翼水重力タービン（８Ｐ）発電電気駆動の電気＋液体空気冷熱＋過熱蒸気温熱供給設備より受給して超高圧液体空気冷熱噴射燃料噴射燃焼して各種輸送手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１０９】
電気＋液体空気冷熱＋過熱蒸気温熱供給設備とした太陽光加熱器（２）複数を直角継手等で一纏めにした加熱空気を水重力発電電気駆動１〜複数段熱ポンプ（１Ｇ）で吸入圧縮熱回収し、横型全動翼水重力タービン（８Ｐ）発電電気駆動の電気＋液体空気冷熱＋過熱蒸気温熱供給設備より受給して超高圧液体空気冷熱噴射燃料噴射燃焼して各種輸送手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１１０】
電気＋液体空気冷熱＋過熱蒸気温熱供給設備とした太陽光加熱器（２）複数を直角継手等で一纏めにした加熱空気を水重力発電電気駆動１〜複数段熱ポンプ（１Ｇ）で吸入圧縮熱回収し、横型全動翼水重力タービン（８Ｐ）発電電気駆動の電気＋液体空気冷熱＋過熱蒸気温熱供給設備より受給して超高圧液体空気冷熱噴射燃料噴射燃焼して各種輸送手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１１１】
電気＋液体空気冷熱＋過熱蒸気温熱供給設備とした太陽光加熱器（２）複数を直角継手等で一纏めにした加熱空気を水重力発電電気駆動１〜複数段熱ポンプ（１Ｇ）で吸入圧縮熱回収し、横型全動翼水重力タービン（８Ｐ）発電電気駆動の電気＋液体空気冷熱＋過熱蒸気温熱供給設備より受給して超高圧液体空気冷熱噴射燃料噴射燃焼して各種輸送手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１１２】
電気＋液体空気冷熱＋過熱蒸気温熱供給設備とした太陽光加熱器（２）複数を直角継手等で一纏めにした加熱空気を水重力発電電気駆動１〜複数段熱ポンプ（１Ｇ）で吸入圧縮熱回収し、横型全動翼水重力タービン（８Ｐ）発電電気駆動の電気＋液体空気冷熱＋過熱蒸気温熱供給設備より受給して超高圧液体空気冷熱噴射燃料噴射燃焼して各種輸送手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１１３】
電気＋液体空気冷熱＋過熱蒸気温熱供給設備とした太陽光加熱器（２）複数を直角継手等で一纏めにした加熱空気を水重力発電電気駆動１〜複数段熱ポンプ（１Ｇ）で吸入圧縮熱回収し、横型全動翼水重力タービン（８Ｐ）発電電気駆動の電気＋液体空気冷熱＋過熱蒸気温熱供給設備より受給して電気＋液体空気冷熱＋過熱蒸気温熱供給設備全盛にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１１４】
電気＋液体空気冷熱＋過熱蒸気温熱供給設備とした太陽光加熱器（２）複数を直角継手等で一纏めにした加熱空気を水重力発電電気駆動１〜複数段熱ポンプ（１Ｇ）で吸入圧縮熱回収した電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、水を吸引噴射する液体水吸引ウォータージェット（８０Ｕ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１１５】
電気＋液体空気冷熱＋過熱蒸気温熱供給設備とした太陽光加熱器（２）複数を直角継手等で一纏めにした加熱空気を水重力発電電気駆動１〜複数段熱ポンプ（１Ｇ）で吸入圧縮熱回収した電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、水を吸引噴射する液体水吸引ウォータージェット（８０Ｘ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１１６】
電気＋液体空気冷熱＋過熱蒸気温熱供給設備とした太陽光加熱器（２）複数を直角継手等で一纏めにした加熱空気を水重力発電電気駆動１〜複数段熱ポンプ（１Ｇ）で吸入圧縮熱回収した電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、空気吸引噴射して水を吸引噴射する液体空気吸引ウォータージェット（８０Ｓ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１１７】
電気＋液体空気冷熱＋過熱蒸気温熱供給設備とした太陽光加熱器（２）複数を直角継手等で一纏めにした加熱空気を水重力発電電気駆動１〜複数段熱ポンプ（１Ｇ）で吸入圧縮熱回収した電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、空気吸引流複数か所にも燃料噴射燃焼噴射して、空気吸引噴射して水を吸引噴射する液体空気吸引ウォータージェット（８０Ｔ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１１８】
電気＋液体空気冷熱＋過熱蒸気温熱供給設備とした太陽光加熱器（２）複数を直角継手等で一纏めにした加熱空気を水重力発電電気駆動１〜複数段熱ポンプ（１Ｇ）で吸入圧縮熱回収した電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引噴射して水を吸引噴射する液体空気吸引ウォータージェット（８０Ｙ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１１９】
電気＋液体空気冷熱＋過熱蒸気温熱供給設備とした太陽光加熱器（２）複数を直角継手等で一纏めにした加熱空気を水重力発電電気駆動１〜複数段熱ポンプ（１Ｇ）で吸入圧縮熱回収した電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引流複数か所にも燃料噴射燃焼噴射して、空気吸引噴射して水を吸引噴射する液体空気吸引ウォータージェット（８０Ｚ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１２０】
電気＋液体空気冷熱＋過熱蒸気温熱供給設備とした太陽光加熱器（２）複数を直角継手等で一纏めにした加熱空気を水重力発電電気駆動１〜複数段熱ポンプ（１Ｇ）で吸入圧縮熱回収した電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引噴射する液体合体噴射部（８０Ｅ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１２１】
電気＋液体空気冷熱＋過熱蒸気温熱供給設備とした太陽光加熱器（２）複数を直角継手等で一纏めにした加熱空気を水重力発電電気駆動１〜複数段熱ポンプ（１Ｇ）で吸入圧縮熱回収した電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引流複数か所にも燃料噴射燃焼噴射して、空気吸引噴射する液体合体噴射部（８０Ｆ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１２２】
電気＋液体空気冷熱＋過熱蒸気温熱供給設備とした太陽光加熱器（２）複数を直角継手等で一纏めにした加熱空気を水重力発電電気駆動１〜複数段熱ポンプ（１Ｇ）で吸入圧縮熱回収した電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、空気吸引流複数か所にも燃料噴射燃焼噴射して、空気吸引噴射する液体合体噴射部（８０Ｖ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１２３】
電気＋液体空気冷熱＋過熱蒸気温熱供給設備とした太陽光加熱器（２）複数を直角継手等で一纏めにした加熱空気を水重力発電電気駆動１〜複数段熱ポンプ（１Ｇ）で吸入圧縮熱回収した電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、空気吸引噴射する液体合体噴射部（８０Ｗ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１２４】
液体酸素（５Ｋ）で供給圧縮仕事率を１／６００にして燃焼量１０倍にする、横型全動翼水重力タービン（８Ｐ）発電電気駆動の電気＋液体空気冷熱＋過熱蒸気温熱供給設備より受給して液体空気超高圧噴射する輸送手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１２５】
液体酸素（５Ｋ）で供給圧縮仕事率を１／６００にして燃焼量１０倍にする、横型全動翼水重力タービン（８Ｐ）発電電気駆動の電気＋液体空気冷熱＋過熱蒸気温熱供給設備より受給して移動手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１２６】
液体酸素（５Ｋ）で供給圧縮仕事率を１／６００にして燃焼量１０倍にする、横型全動翼水重力タービン（８Ｐ）発電電気駆動の電気＋液体空気冷熱＋過熱蒸気温熱供給設備より受給して船舶類駆動手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１２７】
液体酸素（５Ｋ）で供給圧縮仕事率を１／６００にして燃焼量１０倍にする、横型全動翼水重力タービン（８Ｐ）発電電気駆動の電気＋液体空気冷熱＋過熱蒸気温熱供給設備より受給して飛行機類駆動手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１２８】
液体酸素（５Ｋ）で供給圧縮仕事率を１／６００にして燃焼量１０倍にする、横型全動翼水重力タービン（８Ｐ）発電電気駆動の電気＋液体空気冷熱＋過熱蒸気温熱供給設備より受給して電気駆動の各種移動手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１２９】
液体酸素（５Ｋ）で供給圧縮仕事率を１／６００にして燃焼量１０倍にする、横型全動翼水重力タービン（８Ｐ）発電電気駆動の電気＋液体空気冷熱＋過熱蒸気温熱供給設備より受給して工場電化冷熱温熱利用全盛にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１３０】
液体酸素（５Ｋ）で供給圧縮仕事率を１／６００にして燃焼量１０倍にする、横型全動翼水重力タービン（８Ｐ）発電電気駆動の電気＋液体空気冷熱＋過熱蒸気温熱供給設備より受給して家庭電化冷熱温熱利用全盛にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１３１】
液体酸素（５Ｋ）で供給圧縮仕事率を１／６００にして燃焼量１０倍にする、横型全動翼水重力タービン（８Ｐ）発電電気駆動の電気＋液体空気冷熱＋過熱蒸気温熱供給設備より受給して超高圧液体空気冷熱噴射燃料噴射燃焼圧力機関駆動して各種輸送手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１３２】
液体酸素（５Ｋ）で供給圧縮仕事率を１／６００にして燃焼量１０倍にする、横型全動翼水重力タービン（８Ｐ）発電電気駆動の電気＋液体空気冷熱＋過熱蒸気温熱供給設備より受給して超高圧液体空気冷熱噴射燃料噴射複数回燃焼圧力機関駆動して各種輸送手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１３３】
液体酸素（５Ｋ）で供給圧縮仕事率を１／６００にして燃焼量１０倍にする、横型全動翼水重力タービン（８Ｐ）発電電気駆動の電気＋液体空気冷熱＋過熱蒸気温熱供給設備より受給して超高圧液体空気冷熱噴射燃料噴射複数回燃焼水を複数回加熱夫々で圧力機関駆動して各種輸送手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１３４】
液体酸素（５Ｋ）で供給圧縮仕事率を１／６００にして燃焼量１０倍にする、横型全動翼水重力タービン（８Ｐ）発電電気駆動の電気＋液体空気冷熱＋過熱蒸気温熱供給設備より受給して超高圧液体空気冷熱噴射燃料噴射複数回燃焼外周の水を複数回加熱夫々で圧力機関駆動して各種輸送手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１３５】
液体酸素（５Ｋ）で供給圧縮仕事率を１／６００にして燃焼量１０倍にする、横型全動翼水重力タービン（８Ｐ）発電電気駆動の電気＋液体空気冷熱＋過熱蒸気温熱供給設備より受給して超高圧液体空気冷熱噴射燃料噴射複数回燃焼内周の水を複数回加熱夫々で圧力機関駆動して各種輸送手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１３６】
液体酸素（５Ｋ）で供給圧縮仕事率を１／６００にして燃焼量１０倍にする、横型全動翼水重力タービン（８Ｐ）発電電気駆動の電気＋液体空気冷熱＋過熱蒸気温熱供給設備より受給して超高圧液体空気冷熱噴射燃料噴射複数回燃焼内周外周の水を複数回加熱夫々で圧力機関駆動して各種輸送手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１３７】
液体酸素（５Ｋ）で供給圧縮仕事率を１／６００にして燃焼量１０倍にする、横型全動翼水重力タービン（８Ｐ）発電電気駆動の電気＋液体空気冷熱＋過熱蒸気温熱供給設備より受給して電気＋液体空気冷熱＋過熱蒸気温熱供給設備全盛にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１３８】
液体酸素（５Ｋ）で供給圧縮仕事率を１／６００にして燃焼量１０倍にする、電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、水を吸引噴射する液体水吸引ウォータージェット（８０Ｕ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１３９】
液体酸素（５Ｋ）で供給圧縮仕事率を１／６００にして燃焼量１０倍にする、電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、水を吸引噴射する液体水吸引ウォータージェット（８０Ｘ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１４０】
液体酸素（５Ｋ）で供給圧縮仕事率を１／６００にして燃焼量１０倍にする、電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、空気吸引噴射して水を吸引噴射する液体空気吸引ウォータージェット（８０Ｓ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１４１】
液体酸素（５Ｋ）で供給圧縮仕事率を１／６００にして燃焼量１０倍にする、電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、空気吸引流複数か所にも燃料噴射燃焼噴射して、空気吸引噴射して水を吸引噴射する液体空気吸引ウォータージェット（８０Ｔ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１４２】
液体酸素（５Ｋ）で供給圧縮仕事率を１／６００にして燃焼量１０倍にする、電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引噴射して水を吸引噴射する液体空気吸引ウォータージェット（８０Ｙ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１４３】
液体酸素（５Ｋ）で供給圧縮仕事率を１／６００にして燃焼量１０倍にする、電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引流複数か所にも燃料噴射燃焼噴射して、空気吸引噴射して水を吸引噴射する液体空気吸引ウォータージェット（８０Ｚ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１４４】
液体酸素（５Ｋ）で供給圧縮仕事率を１／６００にして燃焼量１０倍にする、電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引噴射する液体合体噴射部（８０Ｅ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１４５】
液体酸素（５Ｋ）で供給圧縮仕事率を１／６００にして燃焼量１０倍にする、電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引流複数か所にも燃料噴射燃焼噴射して、空気吸引噴射する液体合体噴射部（８０Ｆ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１４６】
液体酸素（５Ｋ）で供給圧縮仕事率を１／６００にして燃焼量１０倍にする、電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、空気吸引流複数か所にも燃料噴射燃焼噴射して、空気吸引噴射する液体合体噴射部（８０Ｖ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１４７】
液体酸素（５Ｋ）で供給圧縮仕事率を１／６００にして燃焼量１０倍にする、電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、空気吸引噴射する液体合体噴射部（８０Ｗ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１４８】
液体酸素（５Ｋ）で供給圧縮仕事率を１／６００に燃焼量を２０倍にする、横型全動翼水重力タービン（８Ｐ）発電電気駆動の電気＋液体空気冷熱＋過熱蒸気温熱供給設備より受給して液体空気超高圧噴射する輸送手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１４９】
液体酸素（５Ｋ）で供給圧縮仕事率を１／６００に燃焼量を２０倍にする、横型全動翼水重力タービン（８Ｐ）発電電気駆動の電気＋液体空気冷熱＋過熱蒸気温熱供給設備より受給して移動手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１５０】
液体酸素（５Ｋ）で供給圧縮仕事率を１／６００に燃焼量を２０倍にする、横型全動翼水重力タービン（８Ｐ）発電電気駆動の電気＋液体空気冷熱＋過熱蒸気温熱供給設備より受給して船舶類駆動手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１５１】
液体酸素（５Ｋ）で供給圧縮仕事率を１／６００に燃焼量を２０倍にする、横型全動翼水重力タービン（８Ｐ）発電電気駆動の電気＋液体空気冷熱＋過熱蒸気温熱供給設備より受給して飛行機類駆動手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１５２】
液体酸素（５Ｋ）で供給圧縮仕事率を１／６００に燃焼量を２０倍にする、横型全動翼水重力タービン（８Ｐ）発電電気駆動の電気＋液体空気冷熱＋過熱蒸気温熱供給設備より受給して圧力機関駆動移動手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１５３】
液体酸素（５Ｋ）で供給圧縮仕事率を１／６００に燃焼量を２０倍にする、横型全動翼水重力タービン（８Ｐ）発電電気駆動の電気＋液体空気冷熱＋過熱蒸気温熱供給設備より受給して工場電化冷熱温熱利用全盛にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１５４】
液体酸素（５Ｋ）で供給圧縮仕事率を１／６００に燃焼量を２０倍にする、横型全動翼水重力タービン（８Ｐ）発電電気駆動の電気＋液体空気冷熱＋過熱蒸気温熱供給設備より受給して家庭電化冷熱温熱利用全盛にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１５５】
液体酸素（５Ｋ）で供給圧縮仕事率を１／６００に燃焼量を２０倍にする、横型全動翼水重力タービン（８Ｐ）発電電気駆動の電気＋液体空気冷熱＋過熱蒸気温熱供給設備より受給して超高圧液体空気冷熱噴射燃料噴射燃焼圧力機関駆動して各種輸送手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１５６】
液体酸素（５Ｋ）で供給圧縮仕事率を１／６００に燃焼量を２０倍にする、横型全動翼水重力タービン（８Ｐ）発電電気駆動の電気＋液体空気冷熱＋過熱蒸気温熱供給設備より受給して超高圧液体空気冷熱噴射燃料噴射複数回燃焼圧力機関駆動して各種輸送手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１５７】
液体酸素（５Ｋ）で供給圧縮仕事率を１／６００に燃焼量を２０倍にする、横型全動翼水重力タービン（８Ｐ）発電電気駆動の電気＋液体空気冷熱＋過熱蒸気温熱供給設備より受給して超高圧液体空気冷熱噴射燃料噴射複数回燃焼水を複数回加熱夫々で圧力機関駆動して各種輸送手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１５８】
液体酸素（５Ｋ）で供給圧縮仕事率を１／６００に燃焼量を２０倍にする、横型全動翼水重力タービン（８Ｐ）発電電気駆動の電気＋液体空気冷熱＋過熱蒸気温熱供給設備より受給して超高圧液体空気冷熱噴射燃料噴射複数回燃焼外周の水を複数回加熱夫々で圧力機関駆動して各種輸送手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１５９】
液体酸素（５Ｋ）で供給圧縮仕事率を１／６００に燃焼量を２０倍にする、横型全動翼水重力タービン（８Ｐ）発電電気駆動の電気＋液体空気冷熱＋過熱蒸気温熱供給設備より受給して超高圧液体空気冷熱噴射燃料噴射複数回燃焼内周の水を複数回加熱夫々で圧力機関駆動して各種輸送手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１６０】
液体酸素（５Ｋ）で供給圧縮仕事率を１／６００に燃焼量を２０倍にする、横型全動翼水重力タービン（８Ｐ）発電電気駆動の電気＋液体空気冷熱＋過熱蒸気温熱供給設備より受給して超高圧液体空気冷熱噴射燃料噴射複数回燃焼内周外周の水を複数回加熱夫々で圧力機関駆動して各種輸送手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１６１】
液体酸素（５Ｋ）で供給圧縮仕事率を１／６００に燃焼量を２０倍にする、横型全動翼水重力タービン（８Ｐ）発電電気駆動の電気＋液体空気冷熱＋過熱蒸気温熱供給設備より受給して電気＋液体空気冷熱＋過熱蒸気温熱供給設備全盛にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１６２】
液体酸素（５Ｋ）で供給圧縮仕事率を１／６００に燃焼量を２０倍にする、電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、水を吸引噴射する液体水吸引ウォータージェット（８０Ｕ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１６３】
液体酸素（５Ｋ）で供給圧縮仕事率を１／６００に燃焼量を２０倍にする、電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、水を吸引噴射する液体水吸引ウォータージェット（８０Ｘ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１６４】
液体酸素（５Ｋ）で供給圧縮仕事率を１／６００に燃焼量を２０倍にする、電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、空気吸引噴射して水を吸引噴射する液体空気吸引ウォータージェット（８０Ｓ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１６５】
液体酸素（５Ｋ）で供給圧縮仕事率を１／６００に燃焼量を２０倍にする、電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、空気吸引流複数か所にも燃料噴射燃焼噴射して、空気吸引噴射して水を吸引噴射する液体空気吸引ウォータージェット（８０Ｔ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１６６】
液体酸素（５Ｋ）で供給圧縮仕事率を１／６００に燃焼量を２０倍にする、電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引噴射して水を吸引噴射する液体空気吸引ウォータージェット（８０Ｙ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１６７】
液体酸素（５Ｋ）で供給圧縮仕事率を１／６００に燃焼量を２０倍にする、電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引流複数か所にも燃料噴射燃焼噴射して、空気吸引噴射して水を吸引噴射する液体空気吸引ウォータージェット（８０Ｚ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１６８】
液体酸素（５Ｋ）で供給圧縮仕事率を１／６００に燃焼量を２０倍にする、電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引噴射する液体合体噴射部（８０Ｅ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１６９】
液体酸素（５Ｋ）で供給圧縮仕事率を１／６００に燃焼量を２０倍にする、電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引流複数か所にも燃料噴射燃焼噴射して、空気吸引噴射する液体合体噴射部（８０Ｆ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１７０】
液体酸素（５Ｋ）で供給圧縮仕事率を１／６００に燃焼量を２０倍にする、電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、空気吸引流複数か所にも燃料噴射燃焼噴射して、空気吸引噴射する液体合体噴射部（８０Ｖ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１７１】
液体酸素（５Ｋ）で供給圧縮仕事率を１／６００に燃焼量を２０倍にする、電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、空気吸引噴射する液体合体噴射部（８０Ｗ）にし、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１７２】
液体酸素（５Ｋ）で供給して燃焼量１０倍にする、比重大物質加速器（６Ｗ）水（３Ｅ）噴射重力加速度加速して駆動の横型全動翼水重力タービン（８Ｐ）発電電気駆動の、電気＋液体空気冷熱＋過熱蒸気温熱供給設備より受給して液体空気超高圧噴射圧力機関駆動する輸送移動手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１７３】
液体酸素（５Ｋ）で供給して燃焼量１０倍にする、比重大物質加速器（６Ｗ）水（３Ｅ）噴射重力加速度加速して駆動の横型全動翼水重力タービン（８Ｐ）発電電気駆動の、電気＋液体空気冷熱＋過熱蒸気温熱供給設備より受給して液体空気超高圧噴射圧力機関駆動する輸送手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１７４】
液体酸素（５Ｋ）で供給して燃焼量１０倍にする、比重大物質加速器（６Ｗ）水（３Ｅ）噴射重力加速度加速して駆動の横型全動翼水重力タービン（８Ｐ）発電電気駆動の、電気＋液体空気冷熱＋過熱蒸気温熱供給設備より受給して圧力機関駆動する移動手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１７５】
液体酸素（５Ｋ）で供給して燃焼量１０倍にする、比重大物質加速器（６Ｗ）水（３Ｅ）噴射重力加速度加速して駆動の横型全動翼水重力タービン（８Ｐ）発電電気駆動の、電気＋液体空気冷熱＋過熱蒸気温熱供給設備より受給して圧力機関駆動手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１７６】
液体酸素（５Ｋ）で供給して燃焼量１０倍にする、比重大物質加速器（６Ｗ）水（３Ｅ）噴射重力加速度加速して駆動の横型全動翼水重力タービン（８Ｐ）発電電気駆動の、電気＋液体空気冷熱＋過熱蒸気温熱供給設備より受給して液体空気圧力機関駆動手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１７７】
液体酸素（５Ｋ）で供給して燃焼量１０倍にする、比重大物質加速器（６Ｗ）水（３Ｅ）噴射重力加速度加速して駆動の横型全動翼水重力タービン（８Ｐ）発電電気駆動の、電気＋液体空気冷熱＋過熱蒸気温熱供給設備より受給して液体空気超高圧噴射燃焼圧力機関駆動する輸送手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１７８】
液体酸素（５Ｋ）で供給して燃焼量１０倍にする、比重大物質加速器（６Ｗ）水（３Ｅ）噴射重力加速度加速して駆動の横型全動翼水重力タービン（８Ｐ）発電電気駆動の、電気＋液体空気冷熱＋過熱蒸気温熱供給設備より受給して液体空気利用の自動車類移動手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１７９】
液体酸素（５Ｋ）で供給して燃焼量１０倍にする、比重大物質加速器（６Ｗ）水（３Ｅ）噴射重力加速度加速して駆動の横型全動翼水重力タービン（８Ｐ）発電電気駆動の、電気＋液体空気冷熱＋過熱蒸気温熱供給設備より受給して自動車類駆動手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１８０】
液体酸素（５Ｋ）で供給して燃焼量１０倍にする、比重大物質加速器（６Ｗ）水（３Ｅ）噴射重力加速度加速して駆動の横型全動翼水重力タービン（８Ｐ）発電電気駆動の、電気＋液体空気冷熱＋過熱蒸気温熱供給設備より受給して圧力機関駆動自動車類にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１８１】
液体酸素（５Ｋ）で供給して燃焼量１０倍にする、比重大物質加速器（６Ｗ）水（３Ｅ）噴射重力加速度加速して駆動の横型全動翼水重力タービン（８Ｐ）発電電気駆動の、電気＋液体空気冷熱＋過熱蒸気温熱供給設備より受給して液体空気超高圧噴射する輸送手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１８２】
液体酸素（５Ｋ）で供給して燃焼量１０倍にする、比重大物質加速器（６Ｗ）水（３Ｅ）噴射重力加速度加速して駆動の横型全動翼水重力タービン（８Ｐ）発電電気駆動の、電気＋液体空気冷熱＋過熱蒸気温熱供給設備より受給して移動手段にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１８３】
液体酸素（５Ｋ）で供給して燃焼量１０倍にする、比重大物質加速器（６Ｗ）水（３Ｅ）噴射重力加速度加速して駆動の横型全動翼水重力タービン（８Ｐ）発電電気駆動の、電気＋液体空気冷熱＋過熱蒸気温熱供給設備より受給して圧力機関駆動液体空気にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１８４】
液体酸素（５Ｋ）で供給して燃焼量１０倍にする、比重大物質加速器（６Ｗ）水（３Ｅ）噴射重力加速度加速して駆動の横型全動翼水重力タービン（８Ｐ）発電電気駆動の、電気＋液体空気冷熱＋過熱蒸気温熱供給設備より受給して圧力機関駆動にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１８５】
液体酸素（５Ｋ）で供給して燃焼量１０倍にする、比重大物質加速器（６Ｗ）水（３Ｅ）噴射重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、水を吸引噴射する液体水吸引ウォータージェット（８０Ｕ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１８６】
液体酸素（５Ｋ）で供給して燃焼量１０倍にする、比重大物質加速器（６Ｗ）水（３Ｅ）噴射重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、水を吸引噴射する液体水吸引ウォータージェット（８０Ｘ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１８７】
液体酸素（５Ｋ）で供給して燃焼量１０倍にする、比重大物質加速器（６Ｗ）水（３Ｅ）噴射重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、空気吸引噴射して水を吸引噴射する液体空気吸引ウォータージェット（８０Ｓ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１８８】
液体酸素（５Ｋ）で供給して燃焼量１０倍にする、比重大物質加速器（６Ｗ）水（３Ｅ）噴射重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、空気吸引流複数か所にも燃料噴射燃焼噴射して、空気吸引噴射して水を吸引噴射するウォータージェット７９Ｔにする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１８９】
液体酸素（５Ｋ）で供給して燃焼量１０倍にする、比重大物質加速器（６Ｗ）水（３Ｅ）噴射重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引噴射して水を吸引噴射する液体空気吸引ウォータージェット（８０Ｙ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１９０】
液体酸素（５Ｋ）で供給して燃焼量１０倍にする、比重大物質加速器（６Ｗ）水（３Ｅ）噴射重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引流複数か所にも燃料噴射燃焼噴射して、空気吸引噴射して水を吸引噴射する液体空気吸引ウォータージェット（８０Ｚ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１９１】
液体酸素（５Ｋ）で供給して燃焼量１０倍にする、比重大物質加速器（６Ｗ）水（３Ｅ）噴射重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引噴射する液体合体噴射部（８０Ｅ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１９２】
液体酸素（５Ｋ）で供給して燃焼量１０倍にする、比重大物質加速器（６Ｗ）水（３Ｅ）噴射重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引流複数か所にも燃料噴射燃焼噴射して、空気吸引噴射する液体合体噴射部（８０Ｆ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１９３】
液体酸素（５Ｋ）で供給して燃焼量１０倍にする、比重大物質加速器（６Ｗ）水（３Ｅ）噴射重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、空気吸引流複数か所にも燃料噴射燃焼噴射して、空気吸引噴射する液体合体噴射部（８０Ｖ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１９４】
液体酸素（５Ｋ）で供給して燃焼量１０倍にする、比重大物質加速器（６Ｗ）水（３Ｅ）噴射重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、空気吸引噴射する液体合体噴射部（８０Ｗ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１９５】
液体酸素（５Ｋ）で供給して燃焼量５倍にする、比重大物質加速器（６Ｗ）水（３Ｅ）噴射重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、水を吸引噴射する液体水吸引ウォータージェット（８０Ｕ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１９６】
液体酸素（５Ｋ）で供給して燃焼量５倍にする、比重大物質加速器（６Ｗ）水（３Ｅ）噴射重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、水を吸引噴射する液体水吸引ウォータージェット（８０Ｘ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１９７】
液体酸素（５Ｋ）で供給して燃焼量５倍にする、比重大物質加速器（６Ｗ）水（３Ｅ）噴射重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、  空気吸引噴射して水を吸引噴射する液体空気吸引ウォータージェット（８０Ｓ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１９８】
液体酸素（５Ｋ）で供給して燃焼量５倍にする、比重大物質加速器（６Ｗ）水（３Ｅ）噴射重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、空気吸引流複数か所にも燃料噴射燃焼噴射して、空気吸引噴射して水を吸引噴射するウォータージェット７９Ｔにする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項１９９】
液体酸素（５Ｋ）で供給して燃焼量５倍にする、比重大物質加速器（６Ｗ）水（３Ｅ）噴射重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引噴射して水を吸引噴射する液体空気吸引ウォータージェット（８０Ｙ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項２００】
液体酸素（５Ｋ）で供給して燃焼量５倍にする、比重大物質加速器（６Ｗ）水（３Ｅ）噴射重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引流複数か所にも燃料噴射燃焼噴射して、空気吸引噴射して水を吸引噴射する液体空気吸引ウォータージェット（８０Ｚ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項２０１】
液体酸素（５Ｋ）で供給して燃焼量５倍にする、比重大物質加速器（６Ｗ）水（３Ｅ）噴射重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引噴射する、各種熱エネルギは空気温度として熱ポンプで圧縮高圧の液体空気冷熱＋過熱蒸気温熱に分割保存使用・重力エネルギは上昇保存使用する合体機関噴射部７８Ａにする各種エネルギ保存サイクル合体機関及び合体方法。
【請求項２０２】
液体酸素（５Ｋ）で供給して燃焼量５倍にする、比重大物質加速器（６Ｗ）水（３Ｅ）噴射重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引流複数か所にも燃料噴射燃焼噴射して、空気吸引噴射する液体合体噴射部（８０Ｆ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項２０３】
液体酸素（５Ｋ）で供給して燃焼量５倍にする、比重大物質加速器（６Ｗ）水（３Ｅ）噴射重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、空気吸引流複数か所にも燃料噴射燃焼噴射して、空気吸引噴射する液体合体噴射部（８０Ｖ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項２０４】
液体酸素（５Ｋ）で供給して燃焼量５倍にする、比重大物質加速器（６Ｗ）水（３Ｅ）噴射重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、空気吸引噴射する液体合体噴射部（８０Ｗ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項２０５】
液体酸素（５Ｋ）で供給して燃焼量を増大する、比重大物質加速器（６Ｗ）水（３Ｅ）噴射重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、水を吸引噴射する液体水吸引ウォータージェット（８０Ｕ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項２０６】
液体酸素（５Ｋ）で供給して燃焼量を増大する、比重大物質加速器（６Ｗ）水（３Ｅ）噴射重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、水を吸引噴射する液体水吸引ウォータージェット（８０Ｘ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項２０７】
液体酸素（５Ｋ）で供給して燃焼量を増大する、比重大物質加速器（６Ｗ）水（３Ｅ）噴射重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、空気吸引噴射して水を吸引噴射する液体空気吸引ウォータージェット（８０Ｓ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項２０８】
液体酸素（５Ｋ）で供給して燃焼量を増大する、比重大物質加速器（６Ｗ）水（３Ｅ）噴射重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、空気吸引流複数か所にも燃料噴射燃焼噴射して、空気吸引噴射して水を吸引噴射するウォータージェット７９Ｔにする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項２０９】
液体酸素（５Ｋ）で供給して燃焼量を増大する、比重大物質加速器（６Ｗ）水（３Ｅ）噴射重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引噴射して水を吸引噴射する液体空気吸引ウォータージェット（８０Ｙ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項２１０】
液体酸素（５Ｋ）で供給して燃焼量を増大する、比重大物質加速器（６Ｗ）水（３Ｅ）噴射重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引流複数か所にも燃料噴射燃焼噴射して、空気吸引噴射して水を吸引噴射する液体空気吸引ウォータージェット（８０Ｚ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項２１１】
液体酸素（５Ｋ）で供給して燃焼量を増大する、比重大物質加速器（６Ｗ）水（３Ｅ）噴射重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引噴射する液体合体噴射部（８０Ｅ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項２１２】
液体酸素（５Ｋ）で供給して燃焼量を増大する、比重大物質加速器（６Ｗ）水（３Ｅ）噴射重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と内周外周から複数回加熱して噴射し、空気吸引流複数か所にも燃料噴射燃焼噴射して、空気吸引噴射する液体合体噴射部（８０Ｆ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項２１３】
液体酸素（５Ｋ）で供給して燃焼量を増大する、比重大物質加速器（６Ｗ）水（３Ｅ）噴射重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、空気吸引流複数か所にも燃料噴射燃焼噴射して、空気吸引噴射する液体合体噴射部（８０Ｖ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【請求項２１４】
液体酸素（５Ｋ）で供給して燃焼量を増大する、比重大物質加速器（６Ｗ）水（３Ｅ）噴射重力加速度加速して駆動の横型全動翼水重力タービン（８Ｐ）発電電気駆動の、１〜複数段圧縮熱回収器（２Ｃ）で製造の電気＋液体空気冷熱＋過熱蒸気温熱供給設備より受給した液体空気冷熱を超高圧噴射複数回燃料噴射燃焼して超高圧噴射した液体を内周と外周と内周外周から複数回加熱して噴射し、空気吸引噴射する液体合体噴射部（８０Ｗ）にする、各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ保存サイクル合体機関及び合体方法。
【発明の詳細な説明】
【技術分野】
【０００１】
本発明は理論最良エンジン発明のため色々な実験が必要ですが、既存最良蒸気タービン発電の大気圧同速度同容積仕事率ｋｇ重ｍ／秒が、横型全動翼水重力タービン８Ｐ発電の１／１７００と僅少や、ボイラや原子炉など燃料費や危険が膨大に加えて、蒸気速度を堰止めて仕事皆無静翼を動翼と交互に半分具備して回転出力を０に近付け、発電熱量全部で海水温度を７度上昇海面全部温度上昇して自然現象を不可能にし、上限の無い地震津波の巨大化や、異常気象を増大５０年前後海水の豪雨等で人類絶滅に近付く危険や、緑の地球は奇跡の産物で他の星に近付く危険が大きく人類絶滅を阻止する技術として、横型全動翼水重力タービン８Ｐ燃料費０発電とし、大気圧同速度同容積仕事率を既存蒸気タービン発電の１７００倍水仕事率発電にし、ボイラや原子炉全廃の燃料費０発電として、８Ｐ発電電気駆動の１〜複数段熱ポンプ１Ｇや太陽光加熱器２とし、太陽光加熱の空気を圧縮高温として、１〜複数段圧縮熱回収器２Ｃで熱回収分割保存供給する熱製造にし、５０〜２００ＭＰａ過熱蒸気５０温熱＋液体空気２８ａ冷熱に分割保存して、電気＋液体空気冷熱＋過熱蒸気温熱供給設備３Ｄとし、船舶や車両や飛行機には液体酸素や液体窒素等て供給して、圧縮仕事率を既存往復機関の１／６００に圧縮圧力２０倍容易にし、船舶駆動では自然現象高速化２ａ海水に窒素や酸素やＣＯ２を供給微生物や海草類増大して、食物連鎖等で魚類等人類の食料を大増大し、飛行機や自動車駆動ではＣＯ２排気１／１０や燃料費１／１０や１／５０万経費宇宙到達狙い等、飛行機や船舶は１０倍速度狙い等、各種エネルギ保存サイクル合体機関や各種エネルギ保存合体方法の技術に関する。
【０００２】
既存世界最多の自動車駆動往復機関は空気圧縮で膨大な燃料消費しており、熱効率無限大の横型全動翼水重力タービン８Ｐ真空中水重力加速度発電電気駆動の、電気＋液体空気冷熱＋過熱蒸気温熱供給設備１Ａより、液体酸素室５Ｋや液体窒素室５Ｌに液体空気を受給し、液体酸素や液体窒素や水の圧縮にして、圧縮仕事率を１／６００や１／１７００にして２００ＭＰａ超高圧圧縮を容易にし、液体酸素室５Ｋや液体窒素室５Ｌより高圧高温燃焼ガス室５Ｍに２００ＭＰａ等噴射して、同様に燃料噴射着火燃焼を継続２００ＭＰａ等を維持し、内周や外周過熱蒸気室５０の２００ＭＰａ水や液体窒素を加熱することで燃焼量増大して、燃焼ガス室５Ｍ内液体窒素や水噴射でも燃焼量を増大し、圧力機関１Ｂ駆動室の燃焼ガス室５Ｍや水蒸気室５０の高圧高温を維持することで、多数の各種ポンプや各種圧縮機を夫々液体酸素超高圧噴射燃料噴射燃焼駆動する、多段圧力機関１Ｂ各種例えば多段酸素圧力歯車機関３Ｚ＋多段水圧力歯車機関３Ｎや、多段酸素圧力往復機関３Ｆ＋多段水圧力往復機関３Ｍの連動等として、多段酸素圧力機関１Ｂ駆動の過程で複数回燃料噴射燃焼液体窒素や水噴射して燃焼温度最適にし、外周や内周の２００ＭＰａ水蒸気や窒素を加熱多段水圧力機関１Ｂ駆動して、多段酸素圧力機関１Ｂに連動の過程で水噴射や液体窒素噴射で最適圧力温度にし、用途により多段酸素圧力機関１Ｂ単独使用も可能して、自動車や耕耘機等各種車両類やプロペラ７Ａや回転翼７Ｂやスクリュウ７Ｃ駆動し、排気の過程で各種噴射推進との合体を選択可能として、利益率抜群世界一狙う、各種エネルギ保存サイクル合体機関及び合体方法の技術に関する。
【０００３】
既存ジェット機ガスタービンも蒸気タービンと略同様に、回転出力や噴射圧力を静翼で０側に近付け噴射推進出力を僅少とし、空気抵抗０１日に地球を１６周等宇宙飛行が不可能なため、宇宙ロケットを遥かに超える液体合体噴射部８０噴射推進として、水重力発電電気駆動多数の１〜複数段熱ポンプ１Ｇ＋太陽光加熱器２熱製造により、５０〜２００ＭＰａ大質量の過熱蒸気温熱５０＋液体空気冷熱２８ａに分割保存し、電気＋液体空気冷熱＋過熱蒸気温熱供給設備３Ｄより受給して例えば過熱蒸気は、永久凍土地下や海底のメタンハイドレートに注入、メタンと高温水に分割メタンは液体窒素冷却液体メタンで回収として、飛行機や車両や船舶も前記自動車と同様に液体空気２８ａ駆動とし、液体酸素室５Ｋ＋液体窒素室５Ｌに受給し、高圧高温燃焼ガス室５Ｍ内燃焼で内周外周の高圧高温水蒸気室５Ｎ水蒸気を加熱して、高圧高温燃焼ガス４９や高圧高温水蒸気５０を製造し、液体合体噴射部８０燃焼ガス制御弁２４開放して、複数段燃焼室１Ｙ高圧高温燃焼ガス室５Ｍに高圧高温燃焼ガス４９を供給し、燃料制御弁２５ｂ開放して５Ｍ内燃料噴射燃焼して、水蒸気制御弁５Ｐ開放高圧高温水蒸気室５Ｎに水蒸気噴射して５Ｍにより１段加熱し、同様に２段燃焼や複数段燃焼して２段加熱や複数段加熱噴射して、燃焼ガス４９や水蒸気５０を５０〜２００ＭＰａ噴射前方の空気を吸引噴射し、宇宙到達費用を既存の１／５０万狙いにして、燃料費０に近い宇宙飛行で１日に地球を１６周する等地球上何処でも日帰り旅行を可能にし、各種宇宙往還飛行機類で利益率抜群世界一狙う、各種エネルギ保存サイクル合体機関及び合体方法の技術に関する。
【０００４】
既存船舶は蒸気タービンやガスタービンや更に低性能エンジンを使用し、回転出力や噴射推進出力を僅少として、低速移動に膨大な燃料を消費しているため、前記自動車駆動と同様に多段圧力機関１Ｂ駆動してスクリュウ船舶３９Ｄ駆動して、前記液体合体噴射部８０と略同様に液体ウォータージェット８０を駆動し、前方の水や空気を吸引噴射して水を吸引噴射して、吸引空気流複数個所にも燃料噴射燃焼を選択可能にし、既存船舶速度の１０倍速度や１／１０燃料費狙いとして、スクリュウ推進排気の過程では簡単ウォータージェット８０噴射推進追加し、噴射推進の過程で自然現象高速化して海中に酸素や窒素やＣＯ２等を供給して、微生物や植物プランクトンや海草類やサンゴや魚類等を増殖人類の食物を増大し、熱効率利益率抜群世界一狙う、各種エネルギ保存サイクル合体機関及び合体方法の技術に関する。
【背景技術】
【０００５】
洗脳皆無の小学校理科で考えると、既存最良蒸気タービン発電の大気圧同速度同容積仕事率ｋｇ重ｍ／秒が、横型全動翼水重力タービン８Ｐ仕事率の１／１７００と僅少に加えて、蒸気速度を堰止めて仕事皆無の静翼を動翼と交互に半分具備して、回転出力を０側に近付けており、何故全動翼にしないのか大疑問に加えて、発電熱量全部で海水温度を７度上昇して海面全部を温度上昇自然現象不可能にし、上限の無い異常気象を増大し、５０〜１００年前後海水の豪雨等で人類が絶滅に近付く危険を増大中です。緑の地球は奇跡の産物で他の星に近付く危険が大きく、発電所側説明では海水温度上昇が７度以下なら環境に影響皆無としておりますが、例えば海水温度が３０度の海域で７度上昇を継続すると、台風風速が３００ｍ／秒等になり海水の集中豪雨塩の被覆等で人類が絶滅する危険や、海面全部温度上昇して冬場に海面冷却海底に窒素や酸素やＣＯ２等の栄養分を供給していた自然現象を不可能にし、海中微生物や植物プランクトンや海草類を激減魚類等人類の海中食物も限り無く激減しており、中国が１０％成長を続けると、海水温度上昇量は１０年で現在の２倍２０年で４倍と加速度的に増大して、最悪予想では台風や季節風や海上竜巻の風速が１００ｍ／秒等となり、海水を上空に吸引海水の集中豪雨として日本の農業や林業や居住地域が０に近付く等、５０年前後で人類絶滅が急接近するため、手遅れ前に既存技術最悪部分に対応した技術開発が必要。
【０００６】
大気圧同速度同容積仕事率ｋｇ重ｍ／秒を、既存蒸気タービン発電の１７００倍水仕事率にして、真空中水重力加速度発電にすると、１／１０速度１／１０容積仕事率が既存蒸気タービン発電の１７倍仕事率発電ですが、高さ５００ｍ以上に１００台で１７００倍発電量等膨大な発電量が予想され、水資源は膨大で深層海洋水を使用すると副産物も多く、燃料費０発電の熱効率無限大発電にし、横型全動翼水重力タービン８Ｐ大径プラスチックタービン翼８ｃ撥水コーティングして、一台１０ｍと仮定して５００ｍに５０台設けて地球最大の水資源で駆動し、地球最大の重力エネルギで蒸気タービンの１７０倍仕事率小学校理科発電として、出力１０００ＭＷ（発電所）×１７倍仕事率×５０台＝８５万ＭＷ＝８５０発電所分とし、安価大量の水資源による燃料費０発電で安価電気の用途拡大に移行して、太陽光加熱器２により空気を太陽光加熱し、燃料費０発電電気駆動の１〜複数段熱ポンプ１Ｇで複数回圧縮複数回熱回収して、５０〜２００ＭＰａ過熱蒸気温熱５０＋液体空気冷熱２８ａに分割保存し、電気＋液体空気冷熱＋過熱蒸気温熱供給設備１Ａより供給して、液体酸素室５Ｋや液体窒素室５Ｌに受給し、液体空気駆動の自動車や飛行機や船舶を１／１０燃料費駆動や１０倍速度駆動にして、極端に安価な発電の蓄電池駆動や電気駆動や、ＣＯ２排気僅少の地球温暖化防止が得られる背景がある。
【０００７】
高校や大学では既存エンジンを理論最良エンジンと説明しており、洗脳皆無の小学校理科に戻って理論最良エンジンを考えると、仕事率の単位がｋｇ重ｍ／秒等重量×速度のため、重い物質を高速度にして回転出力発生が理論最良エンジンですが考えた痕跡が皆無という背景がある。そこで例えば横型全動翼水重力タービン８Ｐ発電にすると熱効率が無限大発電になる背景があり、日本近海や永久凍土地下に眠る膨大なメタンハイドレートを加熱する場合を、小学校理科で考えると燃料費０加熱が最良です。そこで燃料費０発電電気駆動太陽光加熱器２にして、太陽光で加熱の空気２８ａを燃料費０発電電気駆動の、１〜複数段熱ポンプ１Ｇ１〜複数段圧縮熱回収器２Ｃで複数回圧縮複数回熱回収し、冷熱の液体酸素５Ｋや液体窒素５Ｌ＋温熱の過熱蒸気５０に分割保存して、温熱利用無限大の過程で例えば、永久凍土地下のメタンハイドレートに過熱蒸気５０を注入メタンと高温水に分割し、メタンを液体窒素冷却液体メタンで回収して過熱蒸気注入を永遠に継続して、メタン回収囲い内を適温で水滴の多い牧草地放牧とし、人類の食糧増大温熱利用無限大にして、液体空気２８ａ製造量を増大して、液体空気駆動の自動車や船舶や宇宙往還機全盛とし、宇宙到達費用１／５０万狙いにして、船舶駆動の過程で自然現象高速化２ａすると、微生物や海草類やサンゴ等を増殖食物連鎖等で魚類等人類の食物を増大し、海水の豪雨阻止し、人類絶滅を先送り出来る背景があり。燃料費僅少で１０倍速度狙いの船舶革命や飛行機革命となって、運用利益率が既存運用利益率の１０倍等膨大となり、世界規模１００％独占した製造運用とし、雇用を増大する雇用増大革命に出来る背景がある。
【先行技術文献】
【特許文献】
【０００８】
【特許文献１】日本国特許１６０７１５１号、特許１６０９６１７号、特許１６４５３５０号、特許１９２４８８９号、特許１９１２５２２号、特許１９５９３０５号、特許１９８６１１９号、特許２６０４６３６号、１９９２年米国特許５１３３３０５号、１９９３年米国特許５２３０３０７号、１９９５年米国特許５４２９０７８号、１９９７年米国特許５７０１８６４号、ＰＣＴ国際出願番号ＰＣＴ／ＪＰ９７／０１８１４号・米国特許第６１１９６５０号、中国特許第８８１８号、ＥＵ英国特許９０２１７５号、ＰＣＴ国際出願番号ＰＣＴ／ＪＰ９７／０２２５０号・米国特許第６２６３６６４号がある。
【０００９】
【特許文献２】ＰＣＴ国際出願公開ＮＯ．ＷＯ  ２０１０／１０１０１７  ＰＣＴ／ＪＰ２０１０／０５２１７１は、特願２００９−０４８８６９号、出願日平成２１年３月３日から特願２０１０−００７８０５号、出願日平成２２年１月１８日まで３２６個の出願があります。
【発明の概要】
【発明が解決しようとする課題】
【００１０】
既存世界の火力原子力発電所では、発電熱量全部で海水温度摂氏７度上昇海水温度上昇量を１００年で１０００倍等とし、下降気流や上昇気流を限り無く増大して、異常乾燥山火事や砂漠化や集中豪雨や熱波や寒波等を限り無く増大し、日本近海は２０年前後で台風や季節風や竜巻を１００ｍ／秒等として、海水を上空に吸引海水の集中豪雨等により陸地に塩の被覆を設けて人類陸上食物減少の危険を増大し、冬場に海面冷却海底に栄養分を供給していた自然現象を不可能として、微生物や植物プランクトンや海草類やサンゴ等を激減、食物連鎖により魚類を１／１００等に激減人類の海中食物も限り無く減少し、旱魃や集中豪雨や台風や季節風を１００年で１０倍等に増大して、例えば台風や季節風を３００ｍ／秒等上限の無い異常気象の巨大化とし、海底岩盤膨張地震や津波を巨大化ハイチ超える災害を創造して、人類絶滅の危険を増大のため海水の豪雨等を阻止し、海水温度上昇０等地球温暖化防止して、人類絶滅を先送りする課題がある。又最近の課題は財政赤字国の急増です。最大原因は安価労働コスト国を世界の工場として簡単に利益を得る流行蔓延で、簡単に利益が得られる半面途上国全部が過去の日本のように物真似改良で世界一を競うため、安価優良製品続出して先進国製造設備壊滅財政赤字増大雇用壊滅の危険があり、物真似改良が可能な発明実施は時代遅れと認識し、世界規模１００％独占を永遠に続ける発明品の極秘製造極秘運用として、利益率抜群の世界一にする課題がある。
【課題を解決するための手段】
【００１１】
横型全動翼水重力タービン８Ｐ燃料費０熱効率無限大発電にして、太陽光加熱器２＋電気駆動１〜複数段熱ポンプ１Ｇ＋１〜複数段圧縮熱回収器２Ｃにより熱製造し、電気＋液体空気冷熱＋過熱蒸気温熱供給設備３Ｄとして、受給した液体空気噴射燃料噴射燃焼して５０〜２００ＭＰａの高圧高温燃焼ガス室５Ｍとし、内周や外周に水噴射して構成した高圧高温水蒸気室５Ｎを加熱して、最適温度５０〜２００ＭＰａの高圧高温燃焼ガス室５Ｍ＋高圧高温水蒸気室５Ｎとし、圧縮容積を液体圧縮独立で１／６００や１／１７００にして、同一燃料量既存技術の１０倍出力狙いとし、高圧高温燃焼ガス制御弁５ａ＋水蒸気制御弁５Ｐ開放して、高圧高温燃焼ガス室５Ｍ＋高圧高温水蒸気室５Ｎより、圧力機関１Ｂや液体ウォータージェット８０や液体合体噴射部８０に供給し、圧力機関１Ｂや液体ウォータージェット８０や液体合体噴射部８０を駆動して、自動車等車両類や船舶類や飛行機類を駆動し、船舶類駆動では自然現象高速化して海中に酸素や窒素やＣＯ２等を供給して、微生物や植物プランクトンや海草類やサンゴや魚類等を増殖人類の食物を増大し、飛行機はＣＯ２排気０に近い宇宙飛行全盛１日に地球を１６周する等として、地球上何処でも日帰り旅行や大気中はＣＯ２排気僅少飛行狙いとし、世界規模１００％独占して極秘製造極秘運用する発電や船舶や飛行機として、利益率抜群の世界一や新規雇用抜群の世界一にし、旱魃や集中豪雨や台風や季節風や海水の豪雨や地震津波の巨大化を阻止して、地球温暖化防止し人類絶滅を先送りする。
【発明の効果】
【００１２】
横型全動翼水重力タービン８Ｐ熱効率無限大発電にすると、燃料費０でボイラや原子炉が不要で構造が簡単になる効果が大きく、大気圧同速度同容積仕事率を既存蒸気タービン発電の１７００倍水重力タービン発電にし、水落差を拡大して既存発電量の１７００倍発電量に近付ける効果が大きく、熱効率無限大発電電気製造の電気＋液体空気冷熱＋過熱蒸気温熱供給設備３Ｄより、液体酸素室５Ｋ＋液体窒素室５Ｌに供給し、超高圧噴射して気化酸素に燃料噴射着火燃焼して気化窒素ガスを加熱して、５０〜２００ＭＰａの高圧高温燃焼ガス室５Ｍ＋高圧高温水蒸気室５Ｎにし、酸素圧力機関や水圧力機関や液体ウォータージェットや液体合体噴射部を駆動して、自動車や船舶や飛行機を燃料費１／１０や１０倍速度等が狙えるのに加えて、熱効率無限大重力タービン８Ｐ発電機一台で８５万ＭＷ発電狙いに出来る効果が大きく、宇宙到達経費を既存宇宙ロケットの１／５０万経費狙いに出来る効果等から、発電機１やスクリュー７Ｃやプロペラ７Ａや回転翼７Ｂを非常に安価駆動し、酸素圧力機関＋水圧力機関排気の過程で液体ウォータージェット８０や液体合体噴射部８０と合体出来るため、同一燃料量１０倍回転出力や１０倍噴射推進出力狙いに出来る効果があり、燃料費僅少で既存船舶や飛行機の１０倍速度等、世界規模１００％独占して製造運用する発電や船舶や飛行機や自動車等とし、先進国用実験最良や利益率抜群の世界一や新規雇用抜群の世界一を狙える効果がある。
【００１３】
緑の地球は奇跡の産物で他の星に近付く危険が大きく、例えば中国が１０％成長を１００年続けると、火力発電や原子力発電により中国近海の海水温度上昇量が１０００倍を超えるため、現在日本のゲリラ豪雨増大が海水の豪雨１０００倍等となり、現在の魚類激減が０に近付く等人類絶滅が１００年以内に急接近する可能性が強く、海水温度上昇０やＣＯ２排気０や燃料費０発電電気駆動で地球温暖化防止して、熱効率無限大重力発電電気駆動の電気＋液体空気冷熱＋過熱蒸気温熱供給設備より受給し、液体酸素＋液体窒素で自動車や飛行機や船舶を燃料費僅少で駆動して、船舶駆動では自然現象高速化２ａし、海中に窒素や酸素やＣＯ２等の栄養分として供給して、水中微生物のＣＯ２等の消化能力を森林の数万倍狙い等に増大する効果が大きく、植物プランクトンや海草類やサンゴ等を増殖し、食物連鎖で魚類等を増殖人類の海中食物を大増大して、砂漠化や旱魃や集中豪雨や台風や季節風や地震津波等の巨大化を阻止し、海水の豪雨等を阻止して、人類で最も重要な人類絶滅を先送りする効果がある。
【００１４】
飛行機駆動は、熱効率無限大重力発電電気駆動の電気＋液体空気冷熱＋過熱蒸気温熱供給設備より液体酸素＋液体窒素を受給し、高圧高温燃焼ガス室５Ｍに液体酸素を超高圧噴射気化酸素に燃料噴射着火燃焼して、高圧高温水蒸気室５Ｎの高圧高温水蒸気５Ｎを加熱し、５０〜２００ＭＰａ高圧高温燃焼ガス５Ｍ＋高圧高温水蒸気５Ｎとして液体合体噴射部８０を駆動して、宇宙到達費用を既存宇宙ロケットの１／５０万経費狙いにし、同一燃料費１０倍噴射推進出力で宇宙利用全盛を狙う効果があり、例えば噴射推進出力を既存ジェット機の１００倍圧力１０倍熱量噴射短時間１０００倍噴射推進出力狙いとして、大気中は燃料費僅少のプロペラ飛行や回転翼飛行や噴射推進狙いにし、水蒸気噴射速度や燃焼ガス噴射速度が真空中で最大のため、既存宇宙ロケット地上大量噴射は最悪と考え、既存航空機最高飛行高度付近より、５０〜２００ＭＰａの高圧高温燃焼ガス５Ｍ＋高圧高温水蒸気５Ｎの噴射量増大にして、１日に地球を１６周する等とし、地球上何処でも日帰り旅行が可能な宇宙利用全盛を狙える効果がある。
【図面の簡単な説明】
【００１５】
【図１】横型全動翼水重力タービン８Ｐの説明図（実施例１）
【図２】横型全動翼水重力タービン８Ｐとタービン翼の説明図（実施例２）
【図３】電気＋液体空気冷熱＋過熱蒸気温熱供給設備３Ｄの説明図（実施例３）
【図４】液体スクリュー船舶３９Ｄの説明図（実施例４）
【図５】液体水吸引ウォータージェット８０スクリュー船舶３９Ｄ説明図（実施例５）
【図６】液体水吸引ウォータージェット８０船舶３８Ｃの説明図（実施例６）
【図７】液体空気吸引ウォータージェット８０船舶３８Ｂの説明図（実施例７）
【図８】液体空気吸引ウォータージェット８０スクリュー船舶３９Ｅ説明図（実施例８）
【図９】液体合体噴射部８０飛行機３９Ａの説明図（実施例９）
【図１０】液体合体噴射部８０回転飛行機３９Ｂ説明図（実施例１０）
【図１１】酸素圧力往復機関３Ｆの説明図（実施例１１）
【図１２】酸素圧力歯車機関３Ｚの説明図（実施例１２）
【図１３】液体水吸引ウォータージェット８０Ｕの説明図（実施例１３）
【図１４】液体水吸引ウォータージェット８０Ｘの説明図（実施例１４）
【図１５】液体空気吸引ウォータージェット８０Ｓの説明図（実施例１５）
【図１６】液体空気吸引ウォータージェット８０Ｔの説明図（実施例１６）
【図１７】液体空気吸引ウォータージェット８０Ｙの説明図（実施例１７）
【図１８】液体空気吸引ウォータージェット８０Ｚの説明図（実施例１８）
【図１９】液体合体噴射部８０Ｗの説明図（実施例１９）
【図２０】液体合体噴射部８０Ｖの説明図（実施例２０）
【図２１】液体合体噴射部８０Ｅの説明図（実施例２１）
【図２２】液体合体噴射部８０Ｆの説明図（実施例２２）
【発明を実施するための形態】
【００１６】
既存エンジンが洗脳で長期間発明が阻止され、例えば既存最良蒸気タービン発電の大気圧同速度同容積仕事率ｋｇ重ｍ／秒を、水仕事率の１／１７００と僅少にし、静翼を動翼と交互に設けて堰き止めて回転出力を０に近付け、蒸気タービン発電の駆動熱量全部で海水温度７度上昇魚類激減、海底岩盤を膨張地震や津波を巨大化し、２０年前後で日本近海の台風や季節風や海上竜巻の上昇気流を巨大化１００ｍ／秒等にして、海水を上空に吸引海水の豪雨が予想される等、５０〜１００年前後で陸地に塩の被覆を設けて食糧激減人類絶滅が急接近する危険があります。即ち既存技術の致命的欠点多数で発明が膨大になり過ぎるため、発明を符号の説明に記載すると共に、先の出願で再三説明した部分は省略し、竪型全動翼重力タービン以外３種類は横軸全動翼重力タービンで既存タービンに近いため、横型対向全動翼水重力タービン８Ｐ実施例で代用説明して、横型対向全動翼水重力タービン８Ｐ・横型直列全動翼水重力タービン８Ｐ・横型食込全動翼水重力タービン８Ｐ・竪型全動翼水重力タービン８Ｈの代替説明にし、発電用比重大物質は資源量最大の水５２ａ重力加速度加速駆動で代替説明する等、常識を省略した発明の具体化に挑戦します。
【実施例１】
【００１７】
図１実験が必要な横型対向全動翼水重力タービン８Ｐ発電は、資源量最大の水３Ｅを比重大物質上昇装置２Ｆにより最上部に上昇保存し、比重大物質加速機６Ｗ複数〜多数開放水３Ｅを噴射重力加速度真空加速して、大径ドラムの中心に水平軸１６Ａ外周に対向同速度食込み回転可能に、同一形状長大対向のタービン翼８ｃ１台目を駆動して、重力加速部１ｇで水３Ｅ真空中重力加速度加速して２台目タービン８Ｐ駆動し、同様に３台目４台目と次々に駆動駆動台数無制限として、既存蒸気タービン発電の１／１０速度１／１００容積水３Ｅ噴射タービン翼８ｃ駆動し、大気圧１／１０速度１／１００容積水仕事率を既存蒸気タービン発電の１、７倍仕事率発電として、タービン外箱７７ａ内対向に１００台等落差使用無制限具備し、１台の発電量１、７倍×１００台＝１７０倍発電量発電所等を可能にして、実験最良に移行の過程で既存の２倍直径プラスチックタービン８Ｐ撥水コーティングとし、製造単価や重量や回転数を大幅に低減して、振動や騒音を大幅に低減住宅等の併設を可能にし、燃料費０の熱効率無限大発電等原子炉もボイラも不要の簡単発電として、小学校理科計算で安価な電気製造無限大狙い電気の用途開発必要とし、排気の過程の気体専用冷却室１１Ｄに空気抽出器５１を設けて、摩擦熱で発生蒸気を水冷却の僅少冷却や、海水発電蒸留水や塩の製造等とし、最高真空水重力加速発電の最大回転出力にして、海水温度上昇０ＣＯ２排気０燃料費０で地球温暖化防止し、構造簡単や利益率抜群世界一の発電方法にして、安価な電気製造物無限多や電気駆動無限多にして、各種エネルギ保存サイクル合体機関発電方法にする。
【００１８】
実験が必要ですがタービン翼角度を衝撃に強い角度や水３Ｅ最適速度使用として、合成樹脂タービン翼８ｃにはシリコン樹脂又はフッ素樹脂等で撥水コーティング３Ａにし、金属製タービン翼８ｃ使用では撥水鍍金３ａとして、水平軸１６Ａ又は１６Ａ１６Ａで発電機１を駆動し、横型対向全動翼水重力タービン８Ｐ簡単発電として、安価な電気駆動の１〜複数段熱ポンプ１Ｇで太陽光加熱器２や地熱加熱等の空気を複数回圧縮高温とし、１〜複数段圧縮熱回収器２Ｃの空気熱交換器２Ｘで太陽光加熱の別空気２８ａで熱回収して、圧縮空気２８ａを製造増大し、２〜複数段熱ポンプ１Ｇで複数回圧縮して、２〜複数段圧縮熱回収器２Ｃの水熱交換器２Ｙで複数回熱回収し、５０〜２００ＭＰａ過熱蒸気５０温熱＋液体空気２８ａ冷熱に分割保存して、電気＋液体空気冷熱＋過熱蒸気温熱供給設備３Ｄ多数とし、例えばメタンハイドレートに過熱蒸気５０を注入メタンを回収液化メタン利用にして、炊飯や暖房を温熱５０駆動し冷凍庫や氷製造を液体空気冷熱２８ａ駆動無限製造にし、船舶類や車両類や飛行機類には液体酸素や液体窒素て供給して、限り無く小型簡単や大型簡単船舶類や車両類や飛行機類駆動にし、船舶駆動では自然現象高速化２ａ海水に窒素や酸素やＣＯ２を供給微生物や海草類増大して、食物連鎖等で魚類等人類の食料を大増大し、飛行機や車両駆動では高速やＣＯ２排気経費僅少にして、宇宙往還機では１／５０万経費宇宙到達狙い１日に地球を１６周する等、各種エネルギ保存サイクル合体機関や各種エネルギ保存合体方法にする。
【実施例２】
【００１９】
図２の横型対向全動翼水重力タービン８Ｐには、推力や重量を支える推力軸受８０ａや軸受８０や水３Ｅを加速する重力加速部１ｇを設け、水３Ｅ最適速度使用とし、大径外周長大プラスチック環状多数組立タービン翼８ｃ撥水コーティング等として、大径ドラムの中心に水平軸１６Ａを設け、外周環状に同一形状直線長大多数を環状政策組立で安価な軽量化にし、重力球誘導曲面８ｄ具備タービン翼８ｃを具備し、タービン８Ｐを対向にタービン外箱７７ａ内垂直に無制限に複数台設け、用途に合わせた台数使用にし、比重大物質上昇装置２Ｆにより水３Ｅを最上部に上昇保存して、比重大物質加速機６Ｗで比重大物質噴射ノズル６Ｅ多数噴射又は直線状噴射にし、水重力真空加速して重力加速部１ｇ重力中核加速し対向タービン翼８ｃに噴射して、横型全動翼水重力タービン８Ｐ駆動発電機１を駆動し、海洋深層水５２ａ１１〜１２℃を駆動水や冷却水として使用努力して、空気抽出器５１を気体専用冷却室１１Ｄに具備最高真空にし、水の摩擦熱のみ冷却する僅少冷却として、逆浸透膜や電気透析で海洋深層水濃縮・比重や表面張力の増大凍結温度−２１℃等とし、飲料水や乾燥による塩の製造等に参入して、清浄でミネラルが豊富な海洋深層水５２ａ利用の化粧品や飲料や食品製造等とし、海水温度上昇０ＣＯ２排気０燃料費０として、構造簡単や利益率を抜群世界一とし、ボイラも原子炉も不要な簡単構造革命の各種エネルギ保存サイクル合体機関発電にする。
【００２０】
横型全動翼水重力タービン８Ｈ発電電力駆動、１段熱ポンプ１Ｇで空気を吸入圧縮２０〜１００度前後にして、１段圧縮熱回収器２Ｃ空気熱交換器２Ｘで別空気２８ａを加熱し、２０〜１００度前後に加熱１段熱ポンプ１Ｇで１００〜５００度等に圧縮して、別空気で熱回収圧縮を繰り返す圧縮空気２８ａ質量増大の熱製造にし、２〜複数段熱ポンプ１Ｇで１〜複数回圧縮空気２８ａを１〜複数回高温にして、２〜複数段圧縮熱回収器２Ｃ空気熱交換器２Ｘで１〜複数回熱回収低温にし、圧縮空気２８ａ圧力を１〜複数回上昇水熱交換器２Ｙでは過熱蒸気温熱５０製造して、圧縮空気２８ａや過熱蒸気５０の圧力増大で温熱や冷熱需要に対応し、液体空気２８ａ冷熱を液体酸素室５Ｋ＋液体窒素室５Ｌに保存して、４００度前後５０〜２００ＭＰａ過熱蒸気５０温熱を高圧高温水蒸気室５Ｎに分割保存し、電気＋液体空気冷熱＋過熱蒸気温熱供給設備３Ｄにして、例えばメタンハイドレートに温熱５０を注入メタン回収し、冷熱２８ａで冷却液体メタンで利用して、炊飯器や洗濯乾燥機を温熱５０で駆動する台所革命にし、暖房や冷房等に温熱５０や冷熱２８ａを使用し、温室栽培や氷製造等無限用途対応の加熱革命や冷却革命にして、液体空気冷熱２８ａで自動車や飛行機や船舶駆動し、船舶駆動の過程で自然現象高速化２ａして、海水に窒素や酸素やＣＯ２を供給微生物や植物プランクトンや海草類増大し、食物連鎖等で魚類や海草類等人類の食料を大増大する。
【実施例３】
【００２１】
図３の電気＋液体空気冷熱＋過熱蒸気温熱供給設備３Ｄを説明すると、横型全動翼水重力タービン８Ｐ燃料費０発電電気駆動の、太陽光加熱器２で各種水面を利用し、地球最大熱量の太陽光を矩形長レンズ２ｄ複数重ねて直線状に集めて、焦点距離最短の幅最大狙う長レンズ２ｄで熱吸収材２Ｂ温度を上昇して、空気路２８Ａ空気２８ａ温度を上昇し、１〜複数段熱ポンプ１Ｇで熱製造として、既存のレンズ断面を直線状に延長矩形の長レンズ２ｄとしてレンズ材質全部を使用可能とし、発泡プラスチック等の断熱材２ｃを半筒形外箱７７Ｂで囲って円筒等の長大な筒を設けて、その中に耐熱材２Ａを設けて太陽熱で高温にする板状熱吸収材２Ｂで空気２８ａを加熱し、上部に複数重ねの幅広長大な長レンズ２ｄを継手８０Ａ＋締付具８０Ｂで密封真空断熱可能に設けて、焦点距離最短幅最大可能に長手方向や直角方向には継手８０Ａで延長可能複数を直角継手で一纏めにし、熱ポンプ１Ｇで複数吸入空気路２８Ａから加熱空気２８ａを吸入制御可能にして、水上で東から西に１８０度回転太陽光と直角にする太陽光加熱器２とし、更に傾斜して太陽光に２方向直角維持回転する装置として、空気２８ａを加熱して横型全動翼水重力タービン８Ｐ発電電気駆動の、１〜複数段熱ポンプ１Ｇで吸入圧縮８００〜１２００度等とし、太陽光加熱の別空気を加熱圧縮する質量増大や繰返し圧縮して、１〜複数段圧縮熱回収器２Ｃで繰返し熱回収を繰返し、液体酸素を液体酸素室５Ｋに分割保存して、液体窒素を液体窒素室５Ｌに分割保存し、過熱蒸気温熱５０を高圧高温水蒸気室５Ｎに分割保孫して、電気＋液体空気冷熱＋過熱蒸気温熱供給設備３Ｄとし、各種温熱利用全盛や各種冷熱利用全盛にする。
【実施例４】
【００２２】
図４の液体スクリュー船舶３９Ｄの圧力機関１Ｂ駆動を説明すると、横型全動翼水重力タービン８Ｐ発電電気製造の、電気＋液体空気冷熱＋過熱蒸気温熱供給設備３Ｄから受給して、液体酸素室５Ｋに液体酸素を受給保存し、液体窒素室５Ｌに液体窒素を受給保存して、高圧高温水蒸気室５Ｎに過熱蒸気５０を受給保存し、高圧高温燃焼ガス室５Ｍに液体窒素噴射＋液体酸素噴射＋燃料噴射燃焼して、外周や内周の高圧高温水蒸気５Ｎを加熱し、夫々に液体窒素や水噴射の追加を選択可能にして、５０〜２００ＭＰａ５００度前後の高圧高温燃焼ガス室５Ｍや高圧高温水蒸気室５Ｎにし、例えば高圧高温燃焼ガス制御弁５ａ開放して、歯車ポンプの吸入路を１段燃焼室１Ｙとした酸素圧力歯車機関３Ｚに高圧高温燃焼ガス供給し、燃料噴射燃焼高圧高温として内周や外周の水圧力歯車機関３Ｎの高圧高温水蒸気５Ｎを加熱して、多段酸素圧力歯車機関３Ｚ多段燃焼して多段水圧力歯車機関３Ｎを多段加熱連動し、夫々の回転出力でスクリュー７Ｃ駆動して、排気の過程では簡単液体ウォータージェット８０を構成し、既存往復機関やガスタービンの気体空気圧縮を液体空気圧縮として、圧縮仕事率を１／６００として１００倍出力狙いとし、既存船舶の１０倍速度狙い自然現象高速化２ａ推進にして、同一速度ＣＯ２排気１／１０燃料費１／１０運用利益率既存船舶の１０倍狙う、中大型スクリュウュー船舶６９Ｄにした、各種エネルギ保存サイクル合体機関及び合体方法にする。
【実施例５】
【００２３】
図５の液体水吸引ウォータージェット８０スクリュー船舶３９Ｄ駆動を説明すると、横型全動翼水重力タービン８Ｐ発電電気製造の、電気＋液体空気冷熱＋過熱蒸気温熱供給設備３Ｄから受給して、液体酸素室５Ｋに液体酸素を受給保存し、液体窒素室５Ｌに液体0窒素を受給保存して、高圧高温水蒸気室５Ｎに過熱蒸気５０を受給保存し、高圧高温燃焼ガス室５Ｍに液体窒素噴射＋液体酸素噴射＋燃料噴射燃焼して、外周や内周の高圧高温水蒸気５Ｎを加熱し、夫々に液体窒素や水噴射の追加を選択可能にして、５０〜２００ＭＰａ５００度前後の高圧高温燃焼ガス室５Ｍや高圧高温水蒸気室５Ｎにし、５Ｍ＋５Ｎにより夫々酸素圧力往復機関機関３Ｆや酸素圧力歯車機関３Ｚを駆動して、スクリュー７Ｃ駆動方向舵４０Ａで進行方向操舵し、５Ｍ＋５Ｎにより液体水吸引ウォータージェット８０Ｘを駆動して、噴射推進の過程で３Ｆや３Ｚの排気を８０Ｘ最適圧力部に合流噴射し、３Ｆや３Ｚの回転出力でスクリュー７Ｃ駆動排気合流して、液体水吸引ウォータージェット８０Ｘ合流噴射推進して自然現象高速化２ａし、既存往復機関やガスタービンの気体空気圧縮を液体空気圧縮として、圧縮仕事率を１／６００として１００倍出力狙いとし、既存船舶の１０倍速度狙い噴射推進にして、同一速度ＣＯ２排気１／１０燃料費１／１０運用利益率既存船舶の１０倍狙う、中大型液体水吸引ウォータージェット８０スクリュー船舶３９Ｄにする、各種エネルギ保存サイクル合体機関及び合体方法にする。
【実施例６】
【００２４】
図６の液体水吸引ウォータージェット８０船舶３８Ｃ駆動を説明すると、横型全動翼水重力タービン８Ｐ発電電気製造の、電気＋液体空気冷熱＋過熱蒸気温熱供給設備３Ｄより受給して、高圧高温水蒸気室５Ｎに過熱蒸気５０を受給保存し、高圧高温燃焼ガス室５Ｍに液体窒素噴射＋液体酸素噴射＋燃料噴射燃焼して、外周や内周の高圧高温水蒸気５Ｎを加熱し、夫々に液体窒素や水噴射の追加を選択可能にして、５０〜２００ＭＰａ５００度前後の高圧高温燃焼ガス室５Ｍや高圧高温水蒸気室５Ｎにし、５Ｍ＋５Ｎにより液体水吸引ウォータージェット８０Ｘを駆動して、液体水吸引ウォータージェット８０船舶３８Ｃを噴射推進して自然現象高速化２ａし、海水中に窒素や酸素やＣＯ２等を供給して、海中の微生物や海草類に食糧や栄養分供給海中資源を増大して、食物連鎖等で魚類やコンブ等人類の食糧を増大し、既存往復機関やガスタービンの気体空気圧縮を液体空気圧縮として、圧縮仕事率を１／６００として１００倍出力狙いとし、既存船舶の１０倍速度狙い噴射推進にして、同一速度ＣＯ２排気１／１０燃料費１／１０運用利益率既存船舶の１０倍狙う、中大型液体水吸引ウォータージェット８０船舶３８Ｃにする、各種エネルギ保存サイクル合体機関及び合体方法にする。
【実施例７】
【００２５】
図７の液体空気吸引ウォータージェット８０船舶３８Ｂ駆動を説明すると、横型全動翼水重力タービン８Ｐ発電電気製造の、電気＋液体空気冷熱＋過熱蒸気温熱供給設備３Ｄより受給して、高圧高温水蒸気室５Ｎに過熱蒸気５０を受給保存し、高圧高温燃焼ガス室５Ｍに液体窒素噴射＋液体酸素噴射＋燃料噴射燃焼して、外周や内周の高圧高温水蒸気５Ｎを加熱し、夫々に液体窒素や水噴射の追加を選択可能にして、５０〜２００ＭＰａ５００度前後の高圧高温燃焼ガス室５Ｍや高圧高温水蒸気室５Ｎにし、５Ｍ＋５Ｎにより液体空気吸引ウォータージェット８０Ｚを駆動して、液体空気吸引ウォータージェット８０船舶３８Ｂを噴射推進して自然現象高速化２ａし、空気を吸引噴射することで海水中に窒素や酸素やＣＯ２等を増大して供給して、海中の微生物や海草類に食糧や栄養分供給海中資源を増大して、食物連鎖等で魚類やコンブ等人類の食糧を増大し、既存往復機関やガスタービンの気体空気圧縮を液体空気圧縮として、圧縮仕事率を１／６００として１００倍出力狙いとし、既存船舶の１０倍速度狙い噴射推進にして、同一速度ＣＯ２排気１／１０燃料費１／１０運用利益率既存船舶の１０倍狙う、中大型液体空気吸引ウォータージェット８０船舶３８Ｂにする、各種エネルギ保存サイクル合体機関及び合体方法にする。
【実施例８】
【００２６】
図８の液体空気吸引ウォータージェット８０スクリュー船舶３９Ｅ駆動を説明すると、横型全動翼水重力タービン８Ｐ発電電気製造の、電気＋液体空気冷熱＋過熱蒸気温熱供給設備３Ｄから受給して、液体酸素室５Ｋに液体酸素を受給保存し、液体窒素室５Ｌに液体0窒素を受給保存して、高圧高温水蒸気室５Ｎに過熱蒸気５０を受給保存し、高圧高温燃焼ガス室５Ｍに液体窒素噴射＋液体酸素噴射＋燃料噴射燃焼して、外周や内周の高圧高温水蒸気５Ｎを加熱し、夫々に液体窒素や水噴射の追加を選択可能にして、５０〜２００ＭＰａ５００度前後の高圧高温燃焼ガス室５Ｍや高圧高温水蒸気室５Ｎにし、５Ｍ＋５Ｎにより夫々酸素圧力往復機関機関３Ｆや酸素圧力歯車機関３Ｚを駆動して、スクリュー７Ｃ駆動方向舵４０Ａで進行方向操舵し、５Ｍ＋５Ｎにより液体空気吸引ウォータージェット８０Ｚを駆動して、噴射推進の過程で３Ｆや３Ｚの排気を８０Ｚ最適圧力部に合流噴射し、３Ｆや３Ｚの回転出力でスクリュー７Ｃ駆動排気合流して、液体空気吸引ウォータージェット８０Ｚ合流噴射推進して自然現象高速化２ａし、既存往復機関やガスタービンの気体空気圧縮を液体空気圧縮として、圧縮仕事率を１／６００として１００倍出力狙いとし、既存船舶の１０倍速度狙い噴射推進にして、同一速度ＣＯ２排気１／１０燃料費１／１０運用利益率既存船舶の１０倍狙う、中大型液体空気吸引ウォータージェット８０スクリュー船舶３９Ｅにする、各種エネルギ保存サイクル合体機関及び合体方法にする。
【実施例９】
【００２７】
図９の液体合体噴射部８０飛行機３９Ａ駆動を説明すると、横型全動翼水重力タービン８Ｐ発電電気製造の、電気＋液体空気冷熱＋過熱蒸気温熱供給設備３Ｄより受給して、高圧高温水蒸気室５Ｎに過熱蒸気５０を受給保存し、高圧高温燃焼ガス室５Ｍに液体窒素噴射＋液体酸素噴射＋燃料噴射燃焼して、外周や内周の高圧高温水蒸気５Ｎを加熱し、夫々に液体窒素や水噴射の追加を選択可能にして、５０〜２００ＭＰａ５００度前後の高圧高温燃焼ガス室５Ｍや高圧高温水蒸気室５Ｎにし、５Ｍ＋５Ｎにより液体合体噴射部８０Ｆを駆動ロケット噴射して、液体合体噴射部８０飛行機３９Ａを噴射推進し、既存ガスタービンの気体空気圧縮を液体空気圧縮として、圧縮仕事率を１／６００燃料燃焼量１０倍以上を容易として１０００倍出力狙いとし、宇宙上昇時には短時間１０００倍出力ロケット噴射宇宙到達確実として、宇宙到達費用を既存の１／５０万等僅少にし、液体合体噴射部８０飛行機３９Ａで燃料費０に近い宇宙利用全盛にして、１日に地球を１６周する等地球上何処でも日帰り旅行を可能にし、大気中を飛行時には燃料費僅少として、噴射速度が真空で最大のため既存宇宙ロケット地上大量噴射を最悪と考え、既存飛行機最高飛行高度で大出力ロケット推進する方法で宇宙に到達し、地球帰還時には液体合体噴射部８０Ｆ円筒回転部７７Ｇを１８０度等回転して、逆噴射減速地球帰還や重力加速度対応や垂直上昇垂直降下を可能にし、宇宙利用やビルの屋上や月面等何処でも飛行場にする方法にして、各種エネルギ保存サイクル合体機関及び合体方法にする。
【実施例１０】
【００２８】
図１０の液体合体噴射部８０回転飛行機３９Ｂ駆動を説明すると、横型全動翼水重力タービン８Ｐ発電電気製造の、電気＋液体空気冷熱＋過熱蒸気温熱供給設備３Ｄより受給して、高圧高温水蒸気室５Ｎに過熱蒸気５０を受給保存し、高圧高温燃焼ガス室５Ｍに液体窒素噴射＋液体酸素噴射＋燃料噴射燃焼して、外周や内周の高圧高温水蒸気５Ｎを加熱し、夫々に液体窒素や水噴射の追加を選択可能にして、５０〜２００ＭＰａ５００度前後の高圧高温燃焼ガス室５Ｍや高圧高温水蒸気室５Ｎにし、５Ｍ＋５Ｎにより液体合体噴射部８０Ｆを駆動ロケット噴射して、液体合体噴射部８０飛行機３９Ａを噴射推進し、既存ガスタービンの気体空気圧縮を液体空気圧縮として、圧縮仕事率を１／６００燃料燃焼量１０倍以上を容易として１０００倍出力狙いとし、宇宙上昇時には短時間１０００倍出力ロケット噴射宇宙到達確実として、宇宙到達費用を既存の１／５０万等僅少にし、液体合体噴射部８０飛行機３９Ａで燃料費０に近い宇宙利用全盛にして、１日に地球を１６周する等地球上何処でも日帰り旅行を可能にします。
【００２９】
大気中を飛行時には、５Ｍ＋５Ｎにより夫々酸素圧力往復機関機関３Ｆや酸素圧力歯車機関３Ｚを駆動して、夫々プロペラ７Ａ駆動方向舵４０Ａで進行方向操舵し、５Ｍ＋５Ｎにより液体合体噴射部８０Ｆを駆動して、噴射推進の過程で３Ｆや３Ｚの排気を８０Ｆ最適圧力部に合流噴射し、３Ｆや３Ｚの回転出力でプロペラ７Ａ駆動排気合流して、液体合体噴射部８０Ｆ合流噴射推進し燃料費僅少とし、噴射速度が真空で最大のため既存宇宙ロケット地上大量噴射を最悪と考え、既存飛行機最高飛行高度で大出力ロケット推進する方法で宇宙に到達し、地球帰還時には液体合体噴射部８０Ｆ円筒回転部７７Ｇを１８０度等回転して、逆噴射減速地球帰還や重力加速度対応や垂直上昇垂直降下を可能にし、宇宙利用やビルの屋上や月面等何処でも飛行場にする方法にして、各種エネルギ保存サイクル合体機関及び合体方法にする。
【実施例１１】
【００３０】
図１１の酸素圧力往復機関３Ｆ駆動を説明すると、横型全動翼水重力タービン８Ｐ発電電気製造の、電気＋液体空気冷熱＋過熱蒸気温熱供給設備３Ｄから受給して、液体酸素室５Ｋに液体酸素を受給保存し、液体窒素室５Ｌに液体窒素を受給保存して、高圧高温水蒸気室５Ｎに過熱蒸気５０を受給保存し、高圧高温燃焼ガス室５Ｍに液体窒素噴射＋液体酸素噴射＋燃料噴射燃焼して、酸素圧力往復機関３Ｆと同様に外周や内周の高圧高温水蒸気５Ｎを加熱し、夫々に液体窒素や水噴射の追加を選択可能にして、５０〜２００ＭＰａ５００度前後の高圧高温燃焼ガス室５Ｍや高圧高温水蒸気室５Ｎにし、高圧高温燃焼ガス制御弁５ａ開放して、往復圧縮機の吸入路を１段燃焼室１Ｙとした酸素圧力往復機関３Ｆに高圧高温燃焼ガス５Ｍを供給し、燃料噴射ノズル６Ｘより燃料噴射燃焼高圧高温として往復ピストン３Ｈを移動駆動して、反対側２段燃焼室１Ｙ排気室５Ｃの排気弁５Ｄを開放し、３段燃焼室１Ｙに高圧高温燃焼ガス５Ｍを供給３段燃焼や４段燃焼にして、次の酸素圧力往復機関３Ｆを次次に駆動する構成にし、次次に駆動する過程で内周や外周の水圧力往復機関３Ｍの高圧高温水蒸気５Ｎを加熱して、３Ｆと同様に多段水圧力往復機関３Ｍを多段加熱連動し、夫々の回転出力を合体してプロペラ７Ａや回転翼７Ｂやスクリュー７Ｃ駆動して、排気の過程では簡単液体ウォータージェット８０を構成や、簡単液体合体噴射部８０を構成や、液体ウォータージェット８０や液体合体噴射部８０最適圧力部に合流を選択可能にする、各種エネルギ保存サイクル合体機関及び合体方法にする。
【実施例１２】
【００３１】
図１２の酸素圧力歯車機関３Ｚ駆動を説明すると、横型全動翼水重力タービン８Ｐ発電電気製造の、電気＋液体空気冷熱＋過熱蒸気温熱供給設備３Ｄから受給して、液体酸素室５Ｋに液体酸素を受給保存し、液体窒素室５Ｌに液体窒素を受給保存して、高圧高温水蒸気室５Ｎに過熱蒸気５０を受給保存し、高圧高温燃焼ガス室５Ｍに液体窒素噴射＋液体酸素噴射＋燃料噴射燃焼して、酸素圧力往復機関３Ｆと同様に外周や内周の高圧高温水蒸気５Ｎを加熱し、夫々に液体窒素や水噴射の追加を選択可能にして、５０〜２００ＭＰａ５００度前後の高圧高温燃焼ガス室５Ｍや高圧高温水蒸気室５Ｎにし、高圧高温燃焼ガス制御弁５ａ開放して、歯車ポンプの吸入路を１段燃焼室１Ｙとした酸素圧力歯車機関３Ｚに高圧高温燃焼ガス５Ｍを供給し、燃料噴射ノズル６Ｘより燃料噴射燃焼高圧高温として往復ピストン３Ｈを移動駆動して、反対側２段燃焼室１Ｙ排気室５Ｃの排気弁５Ｄを開放し、３段燃焼室１Ｙに高圧高温燃焼ガス５Ｍを供給３段燃焼や４段燃焼にして、次の酸素圧力往復機関３Ｆを次次に駆動する構成にし、次次に駆動する過程で内周や外周の水圧力歯車機関３Ｎの高圧高温水蒸気５Ｎを加熱して、３Ｚと同様に多段水圧力歯車機関３Ｎを多段加熱連動し、夫々の回転出力を合体してプロペラ７Ａや回転翼７Ｂやスクリュー７Ｃ駆動して、排気の過程では簡単液体ウォータージェット８０を構成や、簡単液体合体噴射部８０を構成や、液体ウォータージェット８０や液体合体噴射部８０最適圧力部に合流を選択可能にする、各種エネルギ保存サイクル合体機関及び合体方法にする。
【実施例１３】
【００３２】
図１３の液体水吸引ウォータージェット８０Ｕ駆動を説明すると、横型全動翼水重力タービン８Ｐ発電電気製造の、電気＋液体空気冷熱＋過熱蒸気温熱供給設備３Ｄより受給して、高圧高温水蒸気室５Ｎに過熱蒸気５０を受給保存し、高圧高温燃焼ガス室５Ｍに液体窒素噴射＋液体酸素噴射＋燃料噴射燃焼して、外周や内周の高圧高温水蒸気５Ｎを加熱し、夫々に液体窒素や水噴射の追加を選択可能にして、５０〜２００ＭＰａ５００度前後の高圧高温燃焼ガス室５Ｍや高圧高温水蒸気室５Ｎにし、水蒸気制御弁５Ｐ開放水蒸気５０Ａを過熱蒸気溜９５ｃに供給、燃焼ガス制御弁２４開放高圧高温燃焼ガス５Ｍを１段燃焼室１Ｙに供給して、燃料制御弁２５ｂ開放燃料噴射ノズル６Ｘより燃料噴射１段燃焼で外周５Ｎの水蒸気５０Ａを加熱し、２段燃料噴射ノズル６Ｘより燃料噴射２段燃焼して内周の５Ｎ水蒸気５０Ａを加熱して、３段燃料噴射ノズル６Ｘより燃料噴射３段燃焼して内周外周の水蒸気５０Ａを加熱し、水蒸気噴射ノズル６Ｚより水蒸気５０Ａ噴射して、燃焼ガス噴射ノズル６Ｙより燃焼ガス４９を噴射夫々で水５２ａ吸引噴射し、液体水吸引ウォータージェット８０Ｕとして、空気の圧縮仕事率を１／６００として超高圧大量燃焼１００倍出力狙いとし、既存船舶の１０倍速度狙い噴射推進にして、同一速度ＣＯ２排気１／１０燃料費１／１０運用利益率既存船舶の１０倍狙う、液体水吸引ウォータージェット８０Ｕにする、各種エネルギ保存サイクル合体機関及び合体方法にする。
【実施例１４】
【００３３】
図１４の液体水吸引ウォータージェット８０Ｘ駆動を説明すると、横型全動翼水重力タービン８Ｐ発電電気製造の、電気＋液体空気冷熱＋過熱蒸気温熱供給設備３Ｄより受給して、高圧高温水蒸気室５Ｎに過熱蒸気５０を受給保存し、高圧高温燃焼ガス室５Ｍに液体窒素噴射＋液体酸素噴射＋燃料噴射燃焼して、外周や内周の高圧高温水蒸気５Ｎを加熱し、夫々に液体窒素や水噴射の追加を選択可能にして、５０〜２００ＭＰａ５００度前後の高圧高温燃焼ガス室５Ｍや高圧高温水蒸気室５Ｎにし、水蒸気制御弁５Ｐ開放水蒸気５０Ａを過熱蒸気溜９５ｃに供給、燃焼ガス制御弁２４開放高圧高温燃焼ガス５Ｍを１段燃焼室１Ｙに供給して、燃料制御弁２５ｂ開放燃料噴射ノズル６Ｘより燃料噴射１段燃焼で外周５Ｎの水蒸気５０Ａを加熱し、２段燃料噴射ノズル６Ｘより燃料噴射２段燃焼して内周外周の５Ｎ水蒸気５０Ａを加熱して、３段や４段の燃料噴射ノズル６Ｘより燃料噴射３段４段燃焼で夫々内周外周の水蒸気５０Ａを加熱し、水蒸気噴射ノズル６Ｚより水蒸気５０Ａ噴射して、燃焼ガス噴射ノズル６Ｙより燃焼ガス４９を噴射夫々で水５２ａ吸引噴射し、液体水吸引ウォータージェット８０Ｕとして、空気の圧縮仕事率を１／６００として超高圧大量燃焼１００倍出力狙いとし、既存船舶の１０倍速度狙い噴射推進にして、同一速度ＣＯ２排気１／１０燃料費１／１０運用利益率既存船舶の１０倍狙う、液体水吸引ウォータージェット８０Ｕにする、各種エネルギ保存サイクル合体機関及び合体方法にする。
【実施例１５】
【００３４】
図１５の液体空気吸引ウォータージェット８０Ｓ駆動を説明すると、横型全動翼水重力タービン８Ｐ発電電気製造の、電気＋液体空気冷熱＋過熱蒸気温熱供給設備３Ｄより受給して、高圧高温水蒸気室５Ｎに過熱蒸気５０を受給保存し、高圧高温燃焼ガス室５Ｍに液体窒素噴射＋液体酸素噴射＋燃料噴射燃焼して、外周や内周の高圧高温水蒸気５Ｎを加熱し、夫々に液体窒素や水噴射の追加を選択可能にして、５０〜２００ＭＰａ５００度前後の高圧高温燃焼ガス室５Ｍや高圧高温水蒸気室５Ｎにし、水蒸気制御弁５Ｐ開放水蒸気５０Ａを過熱蒸気溜９５ｃに供給、燃焼ガス制御弁２４開放高圧高温燃焼ガス５Ｍを１段燃焼室１Ｙに供給して、燃料制御弁２５ｂ開放燃料噴射ノズル６Ｘより燃料噴射１段燃焼で外周５Ｎの水蒸気５０Ａを加熱し、２段燃料噴射ノズル６Ｘより燃料噴射２段燃焼して内周の５Ｎ水蒸気５０Ａを加熱して、３段燃料噴射ノズル６Ｘより燃料噴射３段燃焼で内周外周の水蒸気５０Ａを加熱し、水蒸気噴射ノズル６Ｚより水蒸気５０Ａ噴射して、燃焼ガス噴射ノズル６Ｙより燃焼ガス４９を噴射、夫々で空気２８ａを吸引噴射で水５２ａ吸引噴射し、液体空気吸引ウォータージェット８０Ｓとして、空気の圧縮仕事率を１／６００として超高圧大量燃焼１００倍出力狙いとし、既存船舶の１０倍速度狙い噴射推進にして、同一速度ＣＯ２排気１／１０燃料費１／１０運用利益率既存船舶の１０倍狙う、液体空気吸引ウォータージェット８０Ｓにする、各種エネルギ保存サイクル合体機関及び合体方法にする。
【実施例１６】
【００３５】
図１６の液体空気吸引ウォータージェット８０Ｔ駆動を説明すると、横型全動翼水重力タービン８Ｐ発電電気製造の、電気＋液体空気冷熱＋過熱蒸気温熱供給設備３Ｄより受給して、高圧高温水蒸気室５Ｎに過熱蒸気５０を受給保存し、高圧高温燃焼ガス室５Ｍに液体窒素噴射＋液体酸素噴射＋燃料噴射燃焼して、外周や内周の高圧高温水蒸気５Ｎを加熱し、夫々に液体窒素や水噴射の追加を選択可能にして、５０〜２００ＭＰａ５００度前後の高圧高温燃焼ガス室５Ｍや高圧高温水蒸気室５Ｎにし、水蒸気制御弁５Ｐ開放水蒸気５０Ａを過熱蒸気溜９５ｃに供給、燃焼ガス制御弁２４開放高圧高温燃焼ガス５Ｍを１段燃焼室１Ｙに供給して、燃料制御弁２５ｂ開放燃料噴射ノズル６Ｘより燃料噴射１段燃焼で外周５Ｎの水蒸気５０Ａを加熱し、２段燃料噴射ノズル６Ｘより燃料噴射２段燃焼して内周の５Ｎ水蒸気５０Ａを加熱して、３段燃料噴射ノズル６Ｘより燃料噴射３段燃焼で内周外周の水蒸気５０Ａを加熱し、外周空気吸引流複数個所に４段燃料噴射ノズル６Ｘ燃料噴射燃焼して内周水蒸気５０Ａを加熱して、水蒸気噴射ノズル６Ｚより水蒸気５０Ａ噴射し、燃焼ガス噴射ノズル６Ｙより燃焼ガス４９を噴射して、夫々で空気２８ａを吸引噴射で水５２ａ吸引噴射し、液体空気吸引ウォータージェット８０Ｓとして、空気の圧縮仕事率を１／６００として超高圧大量燃焼１００倍出力狙いとし、既存船舶の１０倍速度狙い噴射推進にして、同一速度ＣＯ２排気１／１０燃料費１／１０運用利益率既存船舶の１０倍狙う、液体空気吸引ウォータージェット８０Ｔにする、各種エネルギ保存サイクル合体機関及び合体方法にする。
【実施例１７】
【００３６】
図１７の液体空気吸引ウォータージェット８０Ｙ駆動を説明すると、横型全動翼水重力タービン８Ｐ発電電気製造の、電気＋液体空気冷熱＋過熱蒸気温熱供給設備３Ｄより受給して、高圧高温水蒸気室５Ｎに過熱蒸気５０を受給保存し、高圧高温燃焼ガス室５Ｍに液体窒素噴射＋液体酸素噴射＋燃料噴射燃焼して、外周や内周の高圧高温水蒸気５Ｎを加熱し、夫々に液体窒素や水噴射の追加を選択可能にして、５０〜２００ＭＰａ５００度前後の高圧高温燃焼ガス室５Ｍや高圧高温水蒸気室５Ｎにし、水蒸気制御弁５Ｐ開放水蒸気５０Ａを過熱蒸気溜９５ｃに供給、燃焼ガス制御弁２４開放高圧高温燃焼ガス５Ｍを１段燃焼室１Ｙに供給して、燃料制御弁２５ｂ開放燃料噴射ノズル６Ｘより燃料噴射１段燃焼で外周５Ｎの水蒸気５０Ａを加熱し、２段燃料噴射ノズル６Ｘより燃料噴射２段燃焼して内周外周の５Ｎ水蒸気５０Ａを加熱して、同様に３段や４段の燃料噴射ノズル６Ｘより燃料噴射３段４段燃焼で内周外周の水蒸気５０Ａを加熱し、水蒸気噴射ノズル６Ｚより水蒸気５０Ａ噴射して、燃焼ガス噴射ノズル６Ｙより燃焼ガス４９を噴射し、夫々で空気２８ａを吸引噴射で水５２ａ吸引噴射して、液体空気吸引ウォータージェット８０Ｙとし、空気の圧縮仕事率を１／６００や酸素量増大として、超高圧大量燃焼１００倍出力狙いとし、既存船舶の１０倍速度狙い噴射推進にして、同一速度ＣＯ２排気１／１０燃料費１／１０運用利益率既存船舶の１０倍狙う、液体空気吸引ウォータージェット８０Ｙにする、各種エネルギ保存サイクル合体機関及び合体方法にする。
【実施例１８】
【００３７】
図１８の液体空気吸引ウォータージェット８０Ｚ駆動を説明すると、横型全動翼水重力タービン８Ｐ発電電気製造の、電気＋液体空気冷熱＋過熱蒸気温熱供給設備３Ｄより受給して、高圧高温水蒸気室５Ｎに過熱蒸気５０を受給保存し、高圧高温燃焼ガス室５Ｍに液体窒素噴射＋液体酸素噴射＋燃料噴射燃焼して、外周や内周の高圧高温水蒸気５Ｎを加熱し、夫々に液体窒素や水噴射の追加を選択可能にして、５０〜２００ＭＰａ５００度前後の高圧高温燃焼ガス室５Ｍや高圧高温水蒸気室５Ｎにし、水蒸気制御弁５Ｐ開放水蒸気５０Ａを過熱蒸気溜９５ｃに供給、燃焼ガス制御弁２４開放高圧高温燃焼ガス５Ｍを１段燃焼室１Ｙに供給して、燃料制御弁２５ｂ開放燃料噴射ノズル６Ｘより燃料噴射１段燃焼で外周５Ｎの水蒸気５０Ａを加熱し、２段３段４段燃料噴射ノズル６Ｘより燃料噴射２段３段４段燃焼して内周外周の５Ｎ水蒸気５０Ａを加熱して、外周空気２８ａ吸引流の燃料噴射ノズル６Ｘより燃料噴射５段燃焼で内周の水蒸気５０Ａを加熱し、水蒸気噴射ノズル６Ｚより水蒸気５０Ａ噴射して、燃焼ガス噴射ノズル６Ｙより燃焼ガス４９を噴射し、夫々で空気２８ａを吸引噴射で水５２ａ吸引噴射して、液体空気吸引ウォータージェット８０Ｚとし、空気の圧縮仕事率を１／６００や酸素量増大として、超高圧大量燃焼１００倍出力狙いとし、既存船舶の１０倍速度狙い噴射推進にして、同一速度ＣＯ２排気１／１０燃料費１／１０運用利益率既存船舶の１０倍狙う、液体空気吸引ウォータージェット８０Ｚにする、各種エネルギ保存サイクル合体機関及び合体方法にする。
【実施例１９】
【００３８】
図１９の液体合体噴射部８０Ｗ駆動を説明すると、横型全動翼水重力タービン８Ｐ発電電気製造の、電気＋液体空気冷熱＋過熱蒸気温熱供給設備３Ｄより受給して、高圧高温水蒸気室５Ｎに過熱蒸気５０を受給保存し、高圧高温燃焼ガス室５Ｍに液体窒素噴射＋液体酸素噴射＋燃料噴射燃焼して、外周や内周の高圧高温水蒸気５Ｎを加熱し、夫々に液体窒素や水噴射の追加を選択可能にして、５０〜２００ＭＰａ５００度前後の高圧高温燃焼ガス室５Ｍや高圧高温水蒸気室５Ｎにし、水蒸気制御弁５Ｐ開放水蒸気５０Ａを過熱蒸気溜９５ｃに供給、燃焼ガス制御弁２４開放高圧高温燃焼ガス５Ｍを１段燃焼室１Ｙに供給して、燃料制御弁２５ｂ開放燃料噴射ノズル６Ｘより燃料噴射１段燃焼で外周５Ｎの水蒸気５０Ａを加熱し、２段燃料噴射ノズル６Ｘより燃料噴射２段燃焼して内周の５Ｎ水蒸気５０Ａを加熱して、３段燃料噴射ノズル６Ｘより燃料噴射３段燃焼して内周外周の水蒸気５０Ａを加熱し、水蒸気噴射ノズル６Ｚより水蒸気５０Ａ噴射して、燃焼ガス噴射ノズル６Ｙより燃焼ガス４９を噴射夫々で空気２８ａ吸引噴射し、液体合体噴射部８０Ｗとして、空気の圧縮仕事率を１／６００や酸素量増大として超高圧大量燃焼１００倍出力狙いとし、既存飛行機の１０倍速度狙い噴射推進にして、同一速度ＣＯ２排気１／１０燃料費１／１０とし、運用利益率既存飛行機の１０倍狙う、液体合体噴射部８０Ｗにする、各種エネルギ保存サイクル合体機関及び合体方法にする。
【実施例２０】
【００３９】
図２０の液体合体噴射部８０Ｖ駆動を説明すると、横型全動翼水重力タービン８Ｐ発電電気製造の、電気＋液体空気冷熱＋過熱蒸気温熱供給設備３Ｄより受給して、高圧高温水蒸気室５Ｎに過熱蒸気５０を受給保存し、高圧高温燃焼ガス室５Ｍに液体窒素噴射＋液体酸素噴射＋燃料噴射燃焼して、外周や内周の高圧高温水蒸気５Ｎを加熱し、夫々に液体窒素や水噴射の追加を選択可能にして、５０〜２００ＭＰａ５００度前後の高圧高温燃焼ガス室５Ｍや高圧高温水蒸気室５Ｎにし、水蒸気制御弁５Ｐ開放水蒸気５０Ａを過熱蒸気溜９５ｃに供給、燃焼ガス制御弁２４開放高圧高温燃焼ガス５Ｍを１段燃焼室１Ｙに供給して、燃料制御弁２５ｂ開放燃料噴射ノズル６Ｘより燃料噴射１段燃焼で外周５Ｎの水蒸気５０Ａを加熱し、２段燃料噴射ノズル６Ｘより燃料噴射２段燃焼して内周の５Ｎ水蒸気５０Ａを加熱して、３段燃料噴射ノズル６Ｘより燃料噴射３段燃焼して内周外周の水蒸気５０Ａを加熱し、外周空気２８ａ吸引流の燃料噴射ノズル６Ｘ複数より燃料噴射４段燃焼して、水蒸気噴射ノズル６Ｚより水蒸気５０Ａ噴射して、燃焼ガス噴射ノズル６Ｙより燃焼ガス４９を噴射夫々で空気２８ａ吸引噴射し、液体合体噴射部８０Ｖとして、空気の圧縮仕事率を１／６００や酸素量増大として超高圧大量燃焼１００倍出力狙いとし、既存飛行機の１０倍速度狙い噴射推進にして、同一速度ＣＯ２排気１／１０燃料費１／１０とし、運用利益率既存飛行機の１０倍狙う、液体合体噴射部８０Ｗにする、各種エネルギ保存サイクル合体機関及び合体方法にする。
【実施例２１】
【００４０】
図２１の液体合体噴射部８０Ｅ駆動を説明すると、横型全動翼水重力タービン８Ｐ発電電気製造の、電気＋液体空気冷熱＋過熱蒸気温熱供給設備３Ｄより受給して、高圧高温水蒸気室５Ｎに過熱蒸気５０を受給保存し、高圧高温燃焼ガス室５Ｍに液体窒素噴射＋液体酸素噴射＋燃料噴射燃焼して、外周や内周の高圧高温水蒸気５Ｎを加熱し、夫々に液体窒素や水噴射の追加を選択可能にして、５０〜２００ＭＰａ５００度前後の高圧高温燃焼ガス室５Ｍや高圧高温水蒸気室５Ｎにし、水蒸気制御弁５Ｐ開放水蒸気５０Ａを過熱蒸気溜９５ｃに供給、燃焼ガス制御弁２４開放高圧高温燃焼ガス５Ｍを１段燃焼室１Ｙに供給して、燃料制御弁２５ｂ開放燃料噴射ノズル６Ｘより燃料噴射１段燃焼で外周５Ｎの水蒸気５０Ａを加熱し、２段燃料噴射ノズル６Ｘより燃料噴射２段燃焼して内周外周の５Ｎ水蒸気５０Ａを加熱して、同様に３段や４段の燃料噴射ノズル６Ｘより燃料噴射３段４段燃焼で内周外周の水蒸気５０Ａを加熱し、水蒸気噴射ノズル６Ｚより水蒸気５０Ａ噴射して、燃焼ガス噴射ノズル６Ｙより燃焼ガス４９を噴射し、夫々で前方の空気２８ａを吸引噴射して、液体合体噴射部８０Ｅとし、空気の圧縮仕事率を１／６００や酸素量増大として、超高圧大量燃焼１００倍出力狙いとし、既存飛行機の１０倍速度狙い噴射推進にして、同一速度ＣＯ２排気１／１０燃料費１／１０運用利益率既存飛行機の１０倍狙う、液体合体噴射部８０Ｅにする、各種エネルギ保存サイクル合体機関及び合体方法にする。
【実施例２２】
【００４１】
図２２の液体合体噴射部８０Ｆ駆動を説明すると、横型全動翼水重力タービン８Ｐ発電電気製造の、電気＋液体空気冷熱＋過熱蒸気温熱供給設備３Ｄより受給して、高圧高温水蒸気室５Ｎに過熱蒸気５０を受給保存し、高圧高温燃焼ガス室５Ｍに液体窒素噴射＋液体酸素噴射＋燃料噴射燃焼して、外周や内周の高圧高温水蒸気５Ｎを加熱し、夫々に液体窒素や水噴射の追加を選択可能にして、５０〜２００ＭＰａ５００度前後の高圧高温燃焼ガス室５Ｍや高圧高温水蒸気室５Ｎにし、水蒸気制御弁５Ｐ開放水蒸気５０Ａを過熱蒸気溜９５ｃに供給、燃焼ガス制御弁２４開放高圧高温燃焼ガス５Ｍを１段燃焼室１Ｙに供給して、燃料制御弁２５ｂ開放燃料噴射ノズル６Ｘより燃料噴射１段燃焼で外周５Ｎの水蒸気５０Ａを加熱し、２段３段４段燃料噴射ノズル６Ｘより燃料噴射２段３段４段燃焼して内周外周の５Ｎ水蒸気５０Ａを加熱して、外周空気２８ａ吸引流の燃料噴射ノズル６Ｘより燃料噴射５段燃焼で内周の水蒸気５０Ａを加熱し、水蒸気噴射ノズル６Ｚより水蒸気５０Ａ噴射して、燃焼ガス噴射ノズル６Ｙより燃焼ガス４９を噴射し、夫々で空気２８ａを吸引噴射して、液体合体噴射部８０Ｆとし、空気の圧縮仕事率を１／６００や酸素量増大として、超高圧大量燃焼１００倍出力狙いとし、既存飛行機の１０倍速度狙い噴射推進にして、同一速度ＣＯ２排気１／１０燃料費１／１０運用利益率既存飛行機の１０倍狙う、液体合体噴射部８０Ｆにする、各種エネルギ保存サイクル合体機関及び合体方法にする。
【産業上の利用可能性】
【００４２】
理論最良タービン発電を横型全動翼水重力タービン８Ｐ発電として、大気圧同速度同容積仕事率ｋｇ重ｍ／秒を、既存蒸気タービン発電の１７００倍水仕事率発電にし、既存のボイラや原子炉を不要として、構造を非常に簡単にして既存発電量の１７００倍発電量を非常に容易し、燃料費０ＣＯ２排気０で地球温暖化防止する極端に安価な電気として、電気の用途開発無限大とし、横型全動翼水重力タービン８Ｐ発電電気製造の、電気＋液体空気冷熱＋過熱蒸気温熱供給設備３Ｄより供給して、例えば永久凍土地下のメタンハイドレートに過熱蒸気温熱を注入し、メタンと高温水に分割メタンは冷却液体メタンで回収して、過熱蒸気注入は永遠に継続メタン回収囲い内を適温として水滴の多い牧草地放牧とし、永久凍土地帯全部を牧草地として放牧全盛にする可能性がある。
【００４３】
横型全動翼水重力タービン８Ｐ燃料費０発電で海水温度７度上昇を阻止し、地震津波の人為的巨大化を阻止して地震津波を限り無く縮小して、台風や季節風や竜巻等の人為的な上昇気流の巨大化を阻止して下降気流の巨大化を阻止し、旱魃や集中豪雨や異常乾燥山火事や寒波や熱波の巨大化を阻止して、地経温暖化防止する可能性がある。
【００４４】
既存火力発電＋原子力発電により海水温度を７度上昇し、海面冷却海底に酸素等の栄養分を供給の自然現象を不可能して、魚類や海草等人類の海中食糧を限り無く減少し、台風や季節風や竜巻等の人為的巨大化により、自動車の空中吸引より遥かに容易な海水波頭を空中吸引して、海水の豪雨を通常豪雨の１０倍１００倍１０００倍と加速的人為的に巨大化し、山の緑全部を押し流す山津波や塩の被覆により、人類の陸上食物を０にする、人為的な人類絶滅を、海水温度７度上昇を阻止して人類絶滅阻止する可能性がある。
【００４５】
横型全動翼水重力タービン８Ｐ発電電気製造の液体酸素駆動全盛とし、既存気体空気圧縮を液体空気圧縮や水圧縮として、圧縮仕事率を既存ガスタービンや往復機関のの１／６００や１／１７００とし、１０倍燃料１０倍圧力燃焼容易な自動車や船舶や飛行機として、燃料費１／１０自動車や１０倍速度の船舶や飛行機とし、船舶駆動の過程では自然現象高速化２ａして窒素や酸素やＣＯ２を海水に供給、微生物や植物プランクトンや海草等を増殖して、食物連鎖等により魚類やコンブ類等人類の食糧を増大し、飛行機は垂直上昇や垂直降下や逆噴射を可能にして、何処でも飛行場や１日に地球を１６周する等宇宙利用全盛にし、地球上何処でも日帰り旅行等にする可能性がある。
【符号の説明】
【００４６】
０：各種エネルギ保存サイクル合体機関（各種熱エネルギは空気温度として熱ポンプで圧縮高圧の液体空気冷熱＋過熱蒸気温熱に分割保存使用・重力エネルギは上昇保存噴射真空中重力加速度加速使用する各種エネルギ合体エンジン合体手段）    ０：各種エネルギ保存サイクル合体機関及び合体方法（各種熱エネルギは太陽熱や地熱で加熱等空気温度として熱ポンプで圧縮高圧の液体空気冷熱＋過熱蒸気温熱に分割保存使用・５００以下液体金属使用時は保温装置で保温保存使用・衝撃エネルギはタービン翼や小径金属球にシリコン樹脂被覆やフッ素樹脂被覆を設け作用時間の保存延長に使用・重力エネルギは上昇装置により上昇保存使用する各種エネルギ合体エンジン及び各種エネルギ合体手段）  １：発電機、  １Ｂ：圧力機関（酸素圧力歯車機関・酸素圧力往復機関・水圧力歯車機関・水圧力往復機関等液体を高圧噴射する各種機関）  １Ｃ：アルコール、  １Ｄ：燃料噴射ポンプ、  １Ｆ：復水ポンプ、    １Ｇ：１〜複数段熱ポンプ（温熱５０を温熱室３Ｂに＋冷熱２８ａを冷熱室３Ａに分割保存冷熱回収量増大後圧力無限上昇狙う）  １Ｙ：複数段燃焼室（液体酸素と液体窒素を別圧縮５０〜２００ＭＰａ燃焼ガスと窒素ガス別製造し１Ｙに燃焼ガス噴射燃料噴射燃焼内外の水蒸気加熱を複数回実施して噴射又は排気する）  １ｂ：燃料管（燃料噴射温度が最適温度になるように具備する）    １ｄ：水銀、  １ｇ：重力加速部、  １ｈ：横軸、  ２：太陽光加熱器（長レンズで太陽光を直線状に集めて高温部形成吸入空気を加熱）  ２ａ：自然現象高速化（空気中では変化略０の残飯類が近くの川に移動すると一夜で０に近付く膨大な微生物量を人類の食糧増大に利用）    ２ａ：自然現象高速化（発電では海水に冷熱２８ａを混合自然現象高速化した海水を海底に供給窒素や酸素やＣＯ２等の栄養分を供給微生物増大して魚類やコンブ等食糧大増大する装置）    ２ａ：自然現象高速化（船舶では海中に窒素や酸素やＣＯ２等の栄養分を供給微生物の消化能力を森林の数万倍狙い植物プランクトンや海草等を増殖食物連鎖等により魚類やコンブ類等人類の食糧を増大）    ２ｂ：水抵抗僅少（船底に空気＋燃焼ガス＋過熱蒸気を超高速噴射して水抵抗僅少にする）    ２ｃ：断熱材、  ２ｄ：長レンズ（凸レンズ断面を直線状に延長矩形とし複数使用で焦点距離最短レンズ幅最大狙う）  ２ｅ：水面、  ２Ａ：耐熱材、  ２Ｂ：熱吸収材、  ２Ｃ：１〜複数段圧縮熱回収器（１〜複数段熱ポンプで複数回圧縮複数回高温として２Ｃの２Ｘ２Ｙ２Ｚで複数回熱回収の容器で冷熱＋温熱の質量圧力無限増大狙う）    ２Ｅ：比重大物質（合金含む、白金球・金球・タングステン合金粉末焼結球・銀球・銅球・錫球・鉛球・亜鉛球・アルミニウム球・インジウム・カドミウム・ガリウム・タリウム・ビスマス等比重の大きい物質）  ２Ｅ：比重大物質（製造法は小径程衝撃エネルギが低減するため例えば溶融鋼を大気中に噴射高速衝突粉砕空気冷却水冷却で超小径鋼球等製造）  ２Ｅ：比重大物質（シリコン樹脂被覆やケイ素樹脂被覆の被覆白金合金球・被覆金合金球・被覆タングステン合金粉末焼結球・被覆銀合金球・被覆ビスマス合金球・被覆銅合金球・被覆錫合金球・被覆鉛合金球・被覆亜鉛合金球・被覆アルミニウム合金球）  ２Ｆ：比��大物質上昇装置（重力エネルギを上昇保存）  ２Ｈ：冷熱海水混合器（海水に冷熱を混合自然現象高速化の過程で過熱蒸気気化熱を冷却復水にする装置）  ２Ｘ：空気熱交換器（空気を熱ポンプで圧縮高温として熱回収圧縮空気質量無限増大や圧力無限上昇狙う）  ２Ｙ：水熱交換器（高温空気や燃焼ガスで過熱蒸気製造）    ２Ｚ：比重大物質熱交換器（５００度以下液体金属の温度管理等で使用）  ３ａ：撥水鍍金、  ３Ａ：撥水コーティング、  ３Ｂ：水圧力往復機関（多段酸素圧力往復機関で水や水蒸気を多段加熱して多段水圧力往復機関を駆動する）  ３Ｄ：電気＋液体空気冷熱＋過熱蒸気温熱供給設備（重力発電電気で冷熱＋温熱製造し液体酸素や液体窒素を供給自動車や船舶や飛行機を駆動や過熱蒸気で供給メタンハイドレートに注入メタンを回収等電気＋冷熱＋温熱利用全盛にする）    ３Ｅ：比重大物質（水銀や水等常温で液体の比重大物質）    ３Ｅ：比重大物質（低融点合金の５００度以下液体で安定高温液体合金）    ３Ｆ：酸素圧力往復機関（液体酸素と液体窒素と燃料を噴射燃焼５０〜２００ＭＰａ燃焼ガスとし、膨張の過程で燃料噴射多段燃焼して多段酸素圧力往復機関を駆動する）  ３Ｈ：往復ピストン  ３Ｋ：外接歯車  ３Ｌ：複数段燃焼室  ３Ｍ：水圧力往復機関（３Ｆ又は３Ｚで加熱した高圧高温水蒸気室５Ｎで駆動３Ｆ又は３Ｚに連動する）  ３Ｎ：水圧力歯車機関（多段酸素圧力歯車機関で水や水蒸気を多段加熱して多段水圧力歯車機関を駆動する）  ３Ｚ：酸素圧力歯車機関（液体酸素と液体窒素と燃料噴射燃焼して５０〜２００ＭＰａ燃焼ガスとし内周外周の水や水蒸気を多段燃焼加熱して多段水圧力歯車機関を連動する）  ３ａ：撥水鍍金、  ３ｂ：撥水コーティング、  ４Ｘ：タービン翼断面（断面積を拡大表面積増大）    ５ａ：高圧高温燃焼ガス制御弁、  ５Ａ：給気弁、  ５Ｂ：冷却ヒレ、  ５Ｃ：排気室  ５Ｄ：排気弁  ５Ｅ：給気室    ５Ｆ：酸素加熱室  ５Ｇ：水蒸気加熱室、  ５Ｈ：水加熱室、  ５Ｋ：液体酸素、  ５Ｋ：液体酸素室、    ５Ｌ：液体窒素、  ５Ｌ：液体窒素室、  ５Ｍ：高圧高温燃焼ガス、  ５Ｍ：高圧高温燃焼ガス室、  ５Ｎ：高圧高温水蒸気室、  ５Ｐ：水蒸気制御弁、  ６Ａ：過熱蒸気噴射ノズル、  ６Ｂ：圧縮空気噴射ノズル、  ６Ｅ：比重大物質噴射ノズル、  ６Ｗ：比重大物質加速機（液体比重大物質３Ｅ圧力と比重差利用して比重大物質３Ｅや２Ｅ混合噴射）  ６Ｘ：燃料噴射ノズル、  ６Ｘ：アフターバーナー（吸引空気流に燃料噴射冷熱２８ａ燃焼流６Ｙに合流燃焼して燃料燃焼量大増大で宇宙上昇）    ６Ｙ：燃焼ガス噴射ノズル（冷熱２８ａ燃焼流）    ６Ｚ：水蒸気噴射ノズル、  ７Ａ：プロペラ、  ７Ｂ：回転翼、  ７Ｃ：スクリュー、  ８ｃ：タービン翼（実験最良断面や形状に順次移行するドラム缶外周形状環状多数直線長大タービン翼）  ８ｄ：重力球誘導曲面（重力球を内部に誘導する曲面を設ける）  ８Ｐ：横型全動翼タービン（対向全動翼弾み車タービン直列全動翼弾み車タービン食込全動翼弾み車タービン）  ８Ｐ：横型全動翼タービン（ドラム缶形プラスチックや軽合金で軽量化や超硬合金貼付やシリコン樹脂被覆やフッ素樹脂被覆を選択使用実験最良に移行）  ８Ｐ：横型全動翼水重力タービン（既存蒸気タービンは静翼で堰き止め出力が���に近付くため全動翼を必須とし仕事率が白金球の１／３．６万等僅少なため比重大物質重力使用必須とし太陽光加熱空気等空気を１〜複数段熱ポンプ＋圧縮熱回収器で圧縮熱回収し温熱＋冷熱に分割保存タービン駆動＋各種用途に使用）    ８Ｐ：横型全動翼水重力タービン（温熱駆動＋冷熱駆動にすると使用落差が限定されるため落差使用を無制限として使用する場合に使用する）    ９：段落毎環状ネジ組立、  １０：船体、  １０Ａ：船室、  １０ｂ：操縦室、  １０ｃ：制御室、  １０ｄ：客室、  １０ｅ：貨物室、  １６Ａ：水平軸、  １１Ｄ：気体専用冷却室、  ２４：燃焼ガス制御弁、    ２４Ａ：圧縮空気制御弁、  ２５：過熱蒸気制御弁、  ２５ｂ：燃料制御弁、  ２８ａ：空気、    ２８ａ：冷熱（空気２８ａを熱ポンプで圧縮して圧縮空気熱量の過熱蒸気５０温熱＋液体酸素や液体窒素を含む圧縮空気２８ａ冷熱に分割保存）    ２８ｂ：圧縮空気熱量、  ２８Ａ：吸入空気路、  ２８Ｂ：空気路入口、  ３８：回転案内具、  ３８ａ：飛行胴、  ３８ｂ：飛行翼、  ３８ｃ：飛行尾翼、  ３８ｄ：垂直翼、  ３８ｅ：翼前縁心、  ３８ｇ：水上翼、  ３８ｈ：浮上艇、  ３８Ｂ：空気吸引噴射船舶（７９Ｓ７９Ｔ７９Ｙ７９Ｚ具備）    ３８Ｃ：水吸引噴射船舶（７９Ｕ７９Ｘ具備）  ３９Ａ：太陽熱重力飛行機、  ３９Ｂ：太陽熱重力回転飛行機、    ３９Ｃ：太陽熱重力ヘリコプター、  ３９Ｄ：スクリュー船舶、    ３９Ｇ：太陽熱重力飛行船舶、    ４０Ａ：方向舵、  ４９：燃焼ガス、  ５０：過熱蒸気、  ５０：過熱蒸気室、  ５０：温熱（空気２８ａを熱ポンプで圧縮して圧縮空気熱量の過熱蒸気５０温熱＋圧縮空気２８ａ冷熱に分割保存）  ５０Ａ：水蒸気、  ５１：空気抽出器、  ５１：合流抽出器（合流するための抽出器）    ５１Ａ：空気抽出室、  ５２ａ：水、  ５２ａ：海洋深層水、  ５２ｂ：高温水、  ５２ｄ：温熱（５０から変化）    ５２ｅ：冷熱（２８ａから変化）    ５５Ｂ：変速装置、  ６０Ａ：内側軸装置（タービン翼具備装置）  ６０Ｂ：外側軸装置（タービン翼具備装置）  ６０Ｃ：内側動翼群（内側と外側が反対回転）  ６０Ｄ：外側動翼群（内側と外側が反対回転）    ７６：歯車装置（磁気摩擦動力伝達装置を含む）  ７７Ｂ：半筒形外箱、  ７７Ｆ：噴射部外箱、  ７７Ｇ：円筒回転部、  ７７ａ：タービン外箱、  ７８Ａ：合体機関噴射部（冷熱に複数回燃料噴射燃焼して超高圧噴射した液体を内周と内周外周から複数回加熱して噴射し、空気吸引噴射する）    ７８Ｂ：合体機関噴射部（冷熱に複数回燃料噴射燃焼して超高圧噴射した液体を内周と内周外周から複数回加熱して噴射し、空気吸引流複数か所にも燃料噴射燃焼噴射して、空気吸引噴射する）  ７８Ｖ：合体機関噴射部（冷熱に複数回燃料噴射燃焼して超高圧噴射した液体を内周と外周と内周外周から複数回加熱して噴射し、空気吸引流複数か所にも燃料噴射燃焼噴射して、空気吸引噴射する）  ７８Ｗ：合体機関噴射部（冷熱に複数回燃料噴射燃焼して超高圧噴射した液体を内周と外周と内周外周から複数回加熱して噴射し、空気吸引噴射する）  ７９Ｓ：ウォータージェット（冷熱に複数回燃料噴射燃焼して超高圧噴射した液体を内周と外周と内周外周から複数回加熱して噴射し、空気吸引噴射して水を吸引噴射する）  ７９Ｔ：ウォ���タージェット（冷熱に複数回燃料噴射燃焼して超高圧噴射した液体を内周と外周と内周外周から複数回加熱して噴射し、空気吸引流複数か所にも燃料噴射燃焼噴射して、空気吸引噴射して水を吸引噴射する）  ７９Ｕ：ウォータージェット（冷熱に複数回燃料噴射燃焼して超高圧噴射した液体を内周と外周と内周外周から複数回加熱して噴射し、水を吸引噴射する）    ７９Ｘ：ウォータージェット（冷熱に複数回燃料噴射燃焼して超高圧噴射した液体を内周と内周外周から複数回加熱して噴射し、水を吸引噴射する）    ７９Ｙ：ウォータージェット（冷熱に複数回燃料噴射燃焼して超高圧噴射した液体を内周と内周外周から複数回加熱して噴射し、空気吸引噴射して水を吸引噴射する）  ７９Ｚ：ウォータージェット（冷熱に複数回燃料噴射燃焼して超高圧噴射した液体を内周と内周外周から複数回加熱して噴射し、空気吸引流複数か所にも燃料噴射燃焼噴射して、空気吸引噴射して水を吸引噴射する）    ８０：軸受、  ８０ａ：推力軸受  ８０Ａ：継手、  ８０Ｂ：締付具、  ８０Ｅ：液体合体噴射部（高圧高温燃焼ガス５Ｍ高圧高温水蒸気室５Ｎを受給して５Ｍに複数回燃料噴射燃焼して５Ｎを内周と内周外周から複数回加熱して噴射し、空気吸引噴射する）    ８０Ｆ：液体合体噴射部（高圧高温燃焼ガス５Ｍ高圧高温水蒸気室５Ｎを受給して５Ｍに複数回燃料噴射燃焼して５Ｎを内周と内周外周から複数回加熱して噴射し、空気吸引流複数か所にも燃料噴射燃焼噴射して、空気吸引噴射する）  ８０Ｖ：液体合体噴射部（高圧高温燃焼ガス５Ｍ高圧高温水蒸気室５Ｎを受給して５Ｍに複数回燃料噴射燃焼して５Ｎを内周と外周と内周外周から複数回加熱して噴射し、空気吸引流複数か所にも燃料噴射燃焼噴射して、空気吸引噴射する）  ８０Ｗ：液体合体噴射部（高圧高温燃焼ガス５Ｍ高圧高温水蒸気室５Ｎを受給して５Ｍに複数回燃料噴射燃焼して５Ｎを内周と外周と内周外周から複数回加熱して噴射し、空気吸引噴射する）  ８０Ｓ：液体空気吸引ウォータージェット（高圧高温燃焼ガス５Ｍ高圧高温水蒸気室５Ｎを受給して５Ｍに複数回燃料噴射燃焼して５Ｎを内周と外周と内周外周から複数回加熱して噴射し、空気吸引噴射して水を吸引噴射する）  ８０Ｔ：液体空気吸引ウォータージェット（高圧高温燃焼ガス５Ｍ高圧高温
水蒸気室５Ｎを受給して５Ｍに複数回燃料噴射燃焼して５Ｎを内周と外周と内周外周から複数回加熱して噴射し、空気吸引流複数か所にも燃料噴射燃焼噴射して、空気吸引噴射して水を吸引噴射する）  ８０Ｕ：液体水吸引ウォータージェット（高圧高温燃焼ガス５Ｍ高圧高温水蒸気室５Ｎを受給して５Ｍに複数回燃料噴射燃焼して５Ｎを内周と外周と内周外周から複数回加熱して噴射し、水を吸引噴射する）    ８０Ｘ：液体水吸引ウォータージェット（高圧高温燃焼ガス５Ｍ高圧高温水蒸気室５Ｎを受給して５Ｍに複数回燃料噴射燃焼して５Ｎを内周と内周外周から複数回加熱して噴射し、水を吸引噴射する）    ８０Ｙ：液体空気吸引ウォータージェット（高圧高温燃焼ガス５Ｍ高圧高温水蒸気室５Ｎを受給して５Ｍに複数回燃料噴射燃焼して５Ｎを内周と内周外周から複数回加熱して噴射し、空気吸引噴射して水を吸引噴射する）  ８０Ｚ：液体空気吸引ウォータージェット（高圧高温燃焼ガス５Ｍ高圧高温水蒸気室５Ｎを受給して５Ｍに複数回燃料噴射燃焼して５Ｎを内周と内周外周から複数回加熱して噴射し、空気吸引流複数か所にも燃料噴射燃焼噴射して、空気吸引噴射して水を吸引噴射する）  ８４：二重反転磁気摩擦装置（固定部具備内側動翼群と外側動翼群を略同速度反対回転にする装置）  ８４Ｙ：二重反転歯車装置（既存技術で同様にする）  ９５ａ：燃焼ガス溜、  ９５ｂ：圧縮空気溜、  ９５ｃ：過熱蒸気溜、  １０３：冷熱回収器、
【図１】
2012207598.tif 000003
【図２】
2012207598.tif 000004
【図３】
2012207598.tif 000005
【図４】
2012207598.tif 000006
【図５】
2012207598.tif 000007
【図６】
2012207598.tif 000008
【図７】
2012207598.tif 000009
【図８】
2012207598.tif 000010
【図９】
2012207598.tif 000011
【図１０】
2012207598.tif 000012
【図１１】
2012207598.tif 000013
【図１２】
2012207598.tif 000014
【図１３】
2012207598.tif 000015
【図１４】
2012207598.tif 000016
【図１５】
2012207598.tif 000017
【図１６】
2012207598.tif 000018
【図１７】
2012207598.tif 000019
【図１８】
2012207598.tif 000020
【図１９】
2012207598.tif 000021
【図２０】
2012207598.tif 000022
【図２１】
2012207598.tif 000023
【図２２】
2012207598.tif 000024